(57)【要約】本出願は、通信方法および通信装置を提供する。方法は、端末デバイスによって、ＤＭＲＳの電力を決定するステップと、端末デバイスによって、決定された電力に基づいてＤＭＲＳを送るステップとを含む。本出願の実施形態では、ＤＭＲＳの電力は、異なる通信ステータスのために柔軟に決定されることが可能である。
2021523637.tif 000002
【特許請求の範囲】
【請求項１】
復調基準信号ＤＭＲＳ送信方法であって、
端末デバイスによって、ＤＭＲＳの電力を決定するステップと、
前記端末デバイスによって、前記決定された電力に基づいて前記ＤＭＲＳを送るステップと
を備える方法。
【請求項２】
復調基準信号ＤＭＲＳ受信方法であって、
ネットワークデバイスによって、ＤＭＲＳの電力を決定するステップと、
前記ネットワークデバイスによって、前記決定された電力に基づいて前記ＤＭＲＳを受信するステップと
を備える方法。
【請求項３】
前記ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、前記ＤＭＲＳの前記電力は標準電力である
請求項１または２に記載の方法。
【請求項４】
前記端末デバイスが無線リソース制御ＲＲＣ接続を確立せず、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項１乃至３のいずれか一項に記載の方法。
【請求項５】
前記ＤＭＲＳに関連する前記アップリンクスケジューリングコマンドが、フォーマットが０＿０である前記ＤＣＩであり、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項１乃至４のいずれか一項に記載の方法。
【請求項６】
前記端末デバイスが前記ＲＲＣ接続を確立せず、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項１乃至５のいずれか一項に記載の方法。
【請求項７】
前記ＤＭＲＳに関連する前記アップリンクスケジューリングコマンドが、フォーマットが０＿０である前記ＤＣＩであり、前記アップリンク送信波形が離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項１乃至６のいずれか一項に記載の方法。
【請求項８】
前記端末デバイスが前記ＲＲＣ接続を確立せず、前記アップリンク送信波形が前記離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項１乃至７のいずれか一項に記載の方法。
【請求項９】
前記ＤＭＲＳに関連する前記アップリンクスケジューリングコマンドがＤＣＩであり、前記ＤＣＩの巡回冗長検査ＣＲＣが一時構成無線ネットワーク一時識別ＴＣ−ＲＮＴＩを使用することによってスクランブルされ、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項１乃至８のいずれか一項に記載の方法。
【請求項１０】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項１乃至９のいずれか一項に記載の方法。
【請求項１１】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＤＦＴ−ｓ−ＯＦＤＭであるとき、前記ＤＭＲＳの前記電力は標準電力＋３ｄＢである
請求項１乃至１０のいずれか一項に記載の方法。
【請求項１２】
復調基準信号ＤＭＲＳ受信方法であって、
端末デバイスによって、ＤＭＲＳの電力を決定するステップと、
前記端末デバイスによって、前記決定された電力に基づいて前記ＤＭＲＳを受信するステップと
を備える方法。
【請求項１３】
復調基準信号ＤＭＲＳ送信方法であって、
ネットワークデバイスによって、ＤＭＲＳの電力を決定するステップと、
前記ネットワークデバイスによって、前記決定された電力に基づいて前記ＤＭＲＳを送るステップと
を備える方法。
【請求項１４】
前記ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、前記ＤＭＲＳの前記電力は標準電力である
請求項１２または１３に記載の方法。
【請求項１５】
前記端末デバイスが無線リソース制御ＲＲＣ接続を確立せず、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項１２乃至１４のいずれか一項に記載の方法。
【請求項１６】
前記ＤＭＲＳに関連する前記ダウンリンクスケジューリングコマンドが、フォーマットが１＿０である前記ＤＣＩであり、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項１２乃至１５のいずれか一項に記載の方法。
【請求項１７】
前記端末デバイスが前記ＲＲＣ接続を確立せず、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項１２乃至１６のいずれか一項に記載の方法。
【請求項１８】
前記ＤＭＲＳに関連する前記ダウンリンクスケジューリングコマンドが前記ＤＣＩであり、前記ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項１２乃至１７のいずれか一項に記載の方法。
【請求項１９】
前記ＤＭＲＳに関連する前記ダウンリンクスケジューリングコマンドが前記ＤＣＩであり、前記ＤＣＩの前記ＣＲＣがＳＩ−ＲＮＴＩ、前記ＲＡ−ＲＮＴＩ、前記Ｐ−ＲＮＴＩ、または前記ＴＣ−ＲＮＴＩを使用することによってスクランブルされ、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項１２乃至１８のいずれか一項に記載の方法。
【請求項２０】
通信装置であって、
ＤＭＲＳの電力を決定するように構成された処理ユニットと、
前記決定された電力に基づいて前記ＤＭＲＳを送るように構成されたトランシーバユニットと
を備える通信装置。
【請求項２１】
通信装置であって、
ＤＭＲＳの電力を決定するように構成された処理ユニットと、
前記決定された電力に基づいて前記ＤＭＲＳを受信するように構成されたトランシーバユニットと
を備える通信装置。
【請求項２２】
前記ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、前記ＤＭＲＳの前記電力は標準電力である
請求項２０または２１に記載の通信装置。
【請求項２３】
端末デバイスが無線リソース制御ＲＲＣ接続を確立せず、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項２０乃至２２のいずれか一項に記載の通信装置。
【請求項２４】
前記ＤＭＲＳに関連する前記アップリンクスケジューリングコマンドが、フォーマットが０＿０である前記ＤＣＩであり、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項２０乃至２３のいずれか一項に記載の通信装置。
【請求項２５】
端末デバイスがＲＲＣ接続を確立せず、アップリンク送信波形がＣＰ−ＯＦＤＭであり、アップリンク送信中に占有されるシンボルの量が２よりも大きいとき、前記ＤＭＲＳの前記電力は標準電力＋３ｄＢである
請求項２０または２１に記載の通信装置。
【請求項２６】
前記ＤＭＲＳに関連する前記アップリンクスケジューリングコマンドが、フォーマットが０＿０である前記ＤＣＩであり、前記アップリンク送信波形が離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項２０乃至２５のいずれか一項に記載の通信装置。
【請求項２７】
前記端末デバイスが前記ＲＲＣ接続を確立せず、前記アップリンク送信波形が前記離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項２０乃至２６のいずれか一項に記載の通信装置。
【請求項２８】
前記ＤＭＲＳに関連する前記アップリンクスケジューリングコマンドがＤＣＩであり、前記ＤＣＩの巡回冗長検査ＣＲＣが一時構成無線ネットワーク一時識別ＴＣ−ＲＮＴＩを使用することによってスクランブルされ、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項２０乃至２７のいずれか一項に記載の通信装置。
【請求項２９】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項２０乃至２８のいずれか一項に記載の通信装置。
【請求項３０】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＤＦＴ−ｓ−ＯＦＤＭであるとき、前記ＤＭＲＳの前記電力は標準電力＋３ｄＢである
請求項２０乃至２９のいずれか一項に記載の通信装置。
【請求項３１】
通信装置であって、
ＤＭＲＳの電力を決定するように構成された処理ユニットと、
前記決定された電力に基づいて前記ＤＭＲＳを受信するように構成されたトランシーバユニットと
を備える通信装置。
【請求項３２】
通信装置であって、
ＤＭＲＳの電力を決定するように構成された処理ユニットと、
前記決定された電力に基づいて前記ＤＭＲＳを送るように構成されたトランシーバユニットと
を備える通信装置。
【請求項３３】
前記ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、前記ＤＭＲＳの前記電力は標準電力である
請求項３１または３２に記載の通信装置。
【請求項３４】
端末デバイスが無線リソース制御ＲＲＣ接続を確立せず、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項３１乃至３３のいずれか一項に記載の通信装置。
【請求項３５】
前記ＤＭＲＳに関連する前記ダウンリンクスケジューリングコマンドが、フォーマットが１＿０である前記ＤＣＩであり、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項３１乃至３４のいずれか一項に記載の通信装置。
【請求項３６】
前記端末デバイスが前記ＲＲＣ接続を確立せず、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項３１乃至３５のいずれか一項に記載の通信装置。
【請求項３７】
前記ＤＭＲＳに関連する前記ダウンリンクスケジューリングコマンドが前記ＤＣＩであり、前記ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項３１乃至３６のいずれか一項に記載の通信装置。
【請求項３８】
前記ＤＭＲＳに関連する前記ダウンリンクスケジューリングコマンドが前記ＤＣＩであり、前記ＤＣＩの前記ＣＲＣがＳＩ−ＲＮＴＩ、前記ＲＡ−ＲＮＴＩ、前記Ｐ−ＲＮＴＩ、または前記ＴＣ−ＲＮＴＩを使用することによってスクランブルされ、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項３１乃至３７のいずれか一項に記載の通信装置。
【請求項３９】
コンピュータプログラムを備えるコンピュータ可読記憶媒体であって、前記コンピュータプログラムがコンピュータ上で実行されるとき、前記コンピュータは、請求項１乃至１９のいずれか一項に記載の方法を実行することが可能にされるコンピュータ可読記憶媒体。
【請求項４０】
通信装置であって、
ＤＭＲＳの電力を決定するように構成されたプロセッサと、
前記決定された電力に基づいて前記ＤＭＲＳを送るように構成されたトランシーバと
を備える通信装置。
【請求項４１】
通信装置であって、
ＤＭＲＳの電力を決定するように構成されたプロセッサと、
前記決定された電力に基づいて前記ＤＭＲＳを受信するように構成されたトランシーバと
を備える通信装置。
【請求項４２】
前記ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、前記ＤＭＲＳの前記電力は標準電力である
請求項４０または４１に記載の通信装置。
【請求項４３】
端末デバイスが無線リソース制御ＲＲＣ接続を確立せず、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項４０乃至４２のいずれか一項に記載の通信装置。
【請求項４４】
前記ＤＭＲＳに関連する前記アップリンクスケジューリングコマンドが、フォーマットが０＿０である前記ＤＣＩであり、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項４０乃至４３のいずれか一項に記載の通信装置。
【請求項４５】
端末デバイスがＲＲＣ接続を確立せず、アップリンク送信波形がＣＰ−ＯＦＤＭであり、アップリンク送信中に占有されるシンボルの量が２よりも大きいとき、前記ＤＭＲＳの前記電力は標準電力＋３ｄＢである
請求項４０または４１に記載の通信装置。
【請求項４６】
前記ＤＭＲＳに関連する前記アップリンクスケジューリングコマンドが、フォーマットが０＿０である前記ＤＣＩであり、前記アップリンク送信波形が離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項４０乃至４５のいずれか一項に記載の通信装置。
【請求項４７】
前記端末デバイスが前記ＲＲＣ接続を確立せず、前記アップリンク送信波形が前記離散フーリエ変換スペクトラム拡散直交周波数分割多重多元接続ＤＦＴ−ｓ−ＯＦＤＭであるとき、前記ＤＭＲＳの前記電力は標準電力＋３ｄＢである
請求項４０乃至４６のいずれか一項に記載の通信装置。
【請求項４８】
前記ＤＭＲＳに関連する前記アップリンクスケジューリングコマンドがＤＣＩであり、前記ＤＣＩの巡回冗長検査ＣＲＣが一時構成無線ネットワーク一時識別ＴＣ−ＲＮＴＩを使用することによってスクランブルされ、前記アップリンク送信波形が前記サイクリックプレフィックス直交周波数分割多重ＣＰ−ＯＦＤＭであり、前記アップリンク送信中に占有されるシンボルの前記量が２以下であるとき、前記ＤＭＲＳの前記電力は標準電力である
請求項４０乃至４７のいずれか一項に記載の通信装置。
【請求項４９】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＣＰ−ＯＦＤＭであり、前記アップリンク送信中に占有されるシンボルの前記量が２よりも大きいとき、前記ＤＭＲＳの前記電力は標準電力＋３ｄＢである
請求項４０乃至４８のいずれか一項に記載の通信装置。
【請求項５０】
前記ＤＭＲＳに関連する前記アップリンクスケジューリングコマンドが前記ＤＣＩであり、前記ＤＣＩの前記ＣＲＣが前記ＴＣ−ＲＮＴＩを使用することによってスクランブルされ、前記アップリンク送信波形が前記ＤＦＴ−ｓ−ＯＦＤＭであるとき、前記ＤＭＲＳの前記電力は標準電力＋３ｄＢである
請求項４０乃至４９のいずれか一項に記載の通信装置。
【請求項５１】
通信装置であって、
ＤＭＲＳの電力を決定するように構成されたプロセッサと、
前記決定された電力に基づいて前記ＤＭＲＳを受信するように構成されたトランシーバと
を備える通信装置。
【請求項５２】
通信装置であって、
ＤＭＲＳの電力を決定するように構成された処理ユニットと、
前記決定された電力に基づいて前記ＤＭＲＳを送るように構成されたトランシーバユニットと
を備える通信装置。
【請求項５３】
前記ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、前記ＤＭＲＳの前記電力は標準電力である
請求項５１または５２に記載の通信装置。
【請求項５４】
端末デバイスが無線リソース制御ＲＲＣ接続を確立せず、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項５１乃至５３のいずれか一項に記載の通信装置。
【請求項５５】
前記ＤＭＲＳに関連する前記ダウンリンクスケジューリングコマンドが、フォーマットが１＿０である前記ＤＣＩであり、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項５１乃至５４のいずれか一項に記載の通信装置。
【請求項５６】
前記端末デバイスが前記ＲＲＣ接続を確立せず、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項５１乃至５５のいずれか一項に記載の通信装置。
【請求項５７】
前記ＤＭＲＳに関連する前記ダウンリンクスケジューリングコマンドが前記ＤＣＩであり、前記ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、前記ダウンリンク送信波形が前記サイクリックプレフィックス直交周波数分割多重ＣＰ−ＯＦＤＭであり、前記ダウンリンク送信中に占有されるシンボルの前記量が２以下であるとき、前記ＤＭＲＳの前記電力は標準電力である
請求項５１乃至５６のいずれか一項に記載の通信装置。
【請求項５８】
前記ＤＭＲＳに関連する前記ダウンリンクスケジューリングコマンドが前記ＤＣＩであり、前記ＤＣＩの前記ＣＲＣがＳＩ−ＲＮＴＩ、前記ＲＡ−ＲＮＴＩ、前記Ｐ−ＲＮＴＩ、または前記ＴＣ−ＲＮＴＩを使用することによってスクランブルされ、前記ダウンリンク送信波形が前記ＣＰ−ＯＦＤＭであり、前記ダウンリンク送信中に占有されるシンボルの前記量が２よりも大きいとき、前記ＤＭＲＳの前記電力は標準電力＋３ｄＢである
請求項５１乃至５７のいずれか一項に記載の通信装置。
【請求項５９】
処理装置であって、
前記装置が請求項１乃至１９のいずれか一項に記載の方法を実装することを可能にするためにコンピュータプログラムを実行するように構成されたプロセッサ
を備える処理装置。
【請求項６０】
プロセッサとストレージ装置とを備える処理装置であって、
前記ストレージ装置が、コンピュータプログラムを記憶するように構成され、
前記プロセッサは、前記処理装置が請求項１乃至１９のいずれか一項に記載の方法を実装することを可能にするために前記ストレージ装置中に記憶された前記コンピュータプログラムを実行するように構成された
処理装置。
【請求項６１】
コンピュータプログラムを備えるコンピュータプログラム製品であって、前記コンピュータプログラムがコンピュータ上で実行されるとき、前記コンピュータは、請求項１乃至１９のいずれか一項に記載の方法を実行することが可能になるコンピュータプログラム製品。
【請求項６２】
通信システムであって、
請求項２０もしくは請求項２２乃至３０のいずれか一項に記載の通信装置、および請求項２１もしくは請求項２２乃至３０のいずれか一項に記載の装置、または
請求項３１もしくは請求項３３乃至３８のいずれか一項に記載の通信装置、および請求項３２もしくは請求項３３乃至３８のいずれか一項に記載の装置、または
請求項４０もしくは請求項４２乃至５０のいずれか一項に記載の通信装置、および請求項４１もしくは請求項４２乃至５０のいずれか一項に記載の装置、または
請求項５１もしくは請求項５３乃至５８のいずれか一項に記載の通信装置、および請求項５２もしくは請求項５３乃至５８のいずれか一項に記載の装置
を備える通信システム。
【請求項６３】
請求項１乃至１９のいずれか一項に記載の方法を実装するように構成された通信装置。
【発明の詳細な説明】
【技術分野】
【０００１】
本出願は、通信分野に関し、特に、通信方法および通信装置に関する。
【背景技術】
【０００２】
本出願は、その全体が参照により本明細書に組み込まれる、２０１８年５月１１日に中国特許庁で出願された「ＣＯＭＭＵＮＩＣＡＴＩＯＮ  ＭＥＴＨＯＤ  ＡＮＤ  ＣＯＭＭＵＮＩＣＡＴＩＯＮＳ  ＡＰＰＡＲＡＴＵＳ」と題する中国特許出願第２０１８１０４５１３９９．３号の優先権を主張する。
【０００３】
既存の通信システムでは、データの送信中に、（アップリンク送信中の端末デバイスまたはダウンリンク送信中のネットワークデバイスなどの）送信側は、復調基準信号（Ｄｅｍｏｄｕｌａｔｉｏｎ  Ｒｅｆｅｒｅｎｃｅ  Ｓｉｇｎａｌ、ＤＭＲＳ）を送る必要があり、したがって、（アップリンク送信中のネットワークデバイスまたはダウンリンク送信中の端末デバイスなどの）受信側は、ＤＭＲＳに基づいてデータを復調する。
【０００４】
通信パフォーマンスを改善するために、新無線（Ｎｅｗ  Ｒａｄｉｏ、ＮＲ）では、ＤＭＲＳの電力に対して電力補償が実行される必要があり、受信側と送信側との両方がＤＭＲＳの電力補償値について知る必要がある。具体的には、送信側は、電力補償値に基づいて、ＤＭＲＳを送るために補償後の電力を決定する必要があり、受信側は、ＤＭＲＳの電力補償値に基づいて、データを復調するために正確なチャネル推定を実行するために補償後の電力を決定する必要がある。
【０００５】
しかしながら、異なる通信ステータスにおける電力補償要件は異なり得る。したがって、現在のＮＲにおいて規定されている単一の電力補償解決策は要件を満たすことができない。
【発明の概要】
【０００６】
本出願は、異なる通信ステータスのためのＤＭＲＳの電力を柔軟に決定するための通信方法および通信装置を提供する。
【０００７】
第１の態様によれば、復調基準信号ＤＭＲＳ送信方法が提供される。方法は、端末デバイスによって、ＤＭＲＳの電力を決定するステップと、端末デバイスによって、決定された電力に基づいてＤＭＲＳを送るステップとを含む。
【０００８】
第２の態様によれば、復調基準信号ＤＭＲＳ受信方法が提供される。方法は、ネットワークデバイスによって、ＤＭＲＳの電力を決定するステップと、ネットワークデバイスによって、決定された電力に基づいてＤＭＲＳを受信するステップとを含む。
【０００９】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【００１０】
第１の態様または第２の態様に関連して、一実装では、ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【００１１】
第１の態様または第２の態様に関連して、一実装では、端末デバイスが無線リソース制御ＲＲＣ接続を確立せず、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【００１２】
第１の態様または第２の態様に関連して、一実装では、ＤＭＲＳに関連するアップリンクスケジューリングコマンドが、フォーマットが０＿０であるＤＣＩであり、アップリンク送信波形がＣＰ−ＯＦＤＭであり、アップリンク送信中に占有されるシンボルの量が２よりも大きいとき、ＤＭＲＳの電力は標準電力＋３ｄＢである。
【００１３】
第１の態様または第２の態様に関連して、一実装では、端末デバイスがＲＲＣ接続を確立せず、アップリンク送信波形がＣＰ−ＯＦＤＭであり、アップリンク送信中に占有されるシンボルの量が２よりも大きいとき、ＤＭＲＳの電力は標準電力＋３ｄＢである。
【００１４】
第１の態様または第２の態様に関連して、一実装では、ＤＭＲＳに関連するアップリンクスケジューリングコマンドが、フォーマットが０＿０であるＤＣＩであり、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【００１５】
第１の態様または第２の態様に関連して、一実装では、端末デバイスがＲＲＣ接続を確立せず、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【００１６】
第１の態様または第２の態様に関連して、一実装では、ＤＭＲＳに関連するアップリンクスケジューリングコマンドがＤＣＩであり、ＤＣＩの巡回冗長検査ＣＲＣが一時構成無線ネットワーク一時識別ＴＣ−ＲＮＴＩを使用することによってスクランブルされ、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【００１７】
第１の態様または第２の態様に関連して、一実装では、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＣＰ−ＯＦＤＭであり、アップリンク送信中に占有されるシンボルの量が２よりも大きいとき、ＤＭＲＳの電力は標準電力＋３ｄＢである。
【００１８】
第１の態様または第２の態様に関連して、一実装では、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＤＦＴ−ｓ−ＯＦＤＭであるとき、ＤＭＲＳの電力は標準電力＋３ｄＢである。
【００１９】
アップリンクスケジューリングコマンドが、通常、アップリンクデータ送信をスケジュールするために使用されるコマンドであることを理解されたい。アップリンクデータ送信中に、通常は、対応するＤＭＲＳも送信される必要があり、したがって、ネットワークデバイスは、ＤＭＲＳに基づいて、アップリンクデータ送信の処理中に送信されるデータを復調する。したがって、ＤＭＲＳに関連するアップリンクスケジューリングコマンドは、復調がＤＭＲＳに基づいて実行されるアップリンクデータ送信をスケジュールするアップリンクスケジューリングコマンドとして理解され得る。特定の実装処理では、アップリンクスケジューリングコマンドは、ＤＣＩであり得る。通常、ＤＣＩは、巡回冗長検査（Ｃｙｃｌｉｃ  Ｒｅｄｕｎｄａｎｃｙ  Ｃｈｅｃｋ、ＣＲＣ）フィールドを含み、ＣＲＣフィールドは、ＤＣＩの（端末デバイスなどの）受信機デバイスの無線ネットワーク一時識別（Ｒａｄｉｏ  Ｎｅｔｗｏｒｋ  Ｔｅｍｐｏｒａｒｙ  Ｉｄｅｎｔｉｔｙ、ＲＮＴＩ）に基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、一時構成ＲＮＴＩ（Ｔｅｍｐｏｒａｒｙ  Ｃｏｎｆｉｇｕｒｅ  ＲＮＴＩ、ＴＣ−ＲＮＴＩ）およびセルＲＮＴＩ（Ｃｅｌｌ  ＲＮＴＩ、Ｃ−ＲＮＴＩ）に分類され得る。さらに、アップリンク送信中のシンボルの量は、アップリンクデータ送信中に占有されるＯＦＤＭシンボルの量であり得、すなわち、アップリンクデータが分配されるＯＦＤＭシンボルの量であるか、または通常、ＰＵＳＣＨによって占有されるＯＦＤＭシンボルの量として理解され得る。
【００２０】
本出願の実施形態では、上記は、ＤＭＲＳに関連するアップリンクスケジューリングコマンドのＤＣＩのフォーマットが０＿０である一例を与えることを理解されたい。ただし、ＤＭＲＳに関連するアップリンクスケジューリングコマンドのＤＣＩのフォーマットが０＿１でないという条件で、本出願の実施形態はそれに限定されない。したがって、フォーマットが０＿０であるＤＣＩは、フォーマットが０＿１でないＤＣＩとして表され得る。
【００２１】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【００２２】
本出願の実施形態では、アップリンク送信中に占有されるシンボルは、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）によって占有されるシンボルであり得る。
【００２３】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【００２４】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【００２５】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【００２６】
第３の態様によれば、復調基準信号ＤＭＲＳ受信方法が提供される。方法は、端末デバイスによって、ＤＭＲＳの電力を決定するステップと、端末デバイスによって、決定された電力に基づいてＤＭＲＳを受信するステップとを含む。
【００２７】
第４の態様によれば、復調基準信号ＤＭＲＳ送信方法が提供される。方法は、ネットワークデバイスによって、ＤＭＲＳの電力を決定するステップと、ネットワークデバイスによって、決定された電力に基づいてＤＭＲＳを送るステップとを含む。
【００２８】
第３の態様または第４の態様に関連して、一実装では、ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【００２９】
第３の態様または第４の態様に関連して、一実装では、端末デバイスが無線リソース制御ＲＲＣ接続を確立せず、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【００３０】
第３の態様または第４の態様に関連して、一実装では、ＤＭＲＳに関連するダウンリンクスケジューリングコマンドが、フォーマットが１＿０であるＤＣＩであり、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【００３１】
第３の態様または第４の態様に関連して、一実装では、端末デバイスがＲＲＣ接続を確立せず、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【００３２】
第３の態様または第４の態様に関連して、一実装では、ＤＭＲＳに関連するダウンリンクスケジューリングコマンドがＤＣＩであり、ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【００３３】
第３の態様または第４の態様に関連して、一実装では、ＤＭＲＳに関連するダウンリンクスケジューリングコマンドがＤＣＩであり、ＤＣＩのＣＲＣがＳＩ−ＲＮＴＩ、ＲＡ−ＲＮＴＩ、Ｐ−ＲＮＴＩ、またはＴＣ−ＲＮＴＩを使用することによってスクランブルされ、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【００３４】
ダウンリンクスケジューリングコマンドが、通常、ダウンリンクデータ送信をスケジュールするために使用されるコマンドであることを理解されたい。ダウンリンクデータ送信中に、通常は、対応するＤＭＲＳも送信される必要があり、したがって、端末デバイスは、ＤＭＲＳに基づいて、ダウンリンクデータ送信の処理中に送信されるデータを復調する。したがって、ＤＭＲＳに関連するダウンリンクスケジューリングコマンドは、復調がＤＭＲＳに基づいて実行されるダウンリンクデータ送信をスケジュールするダウンリンクスケジューリングコマンドとして理解され得る。特定の実装処理では、ダウンリンクスケジューリングコマンドは、ＤＣＩであり得る。通常、ＤＣＩは、ＣＲＣフィールドを含み、ＣＲＣフィールドは、ＤＣＩの（端末デバイスなどの）受信機デバイスのＲＮＴＩに基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、ＴＣ−ＲＮＴＩ、Ｃ−ＲＮＴＩ、ページングＲＮＴＩ（Ｐａｇｉｎｇ  ＲＮＴＩ、Ｐ−ＲＮＴＩ）、システム情報ＲＮＴＩ（Ｓｙｓｔｅｍ  Ｉｎｆｏｒｍａｔｉｏｎ  ＲＮＴＩ、ＳＩ−ＲＮＴＩ）、ランダムアクセスＲＮＴＩ（Ｒａｎｄｏｍ  Ａｃｃｅｓｓ  ＲＮＴＩ、ＲＡ−ＲＮＴＩ）および構成されたスケジュールされたＲＮＴＩ（Ｃｏｎｆｉｇｕｒｅｄ  Ｓｃｈｅｄｕｌｅｄ  ＲＮＴＩ、ＣＳ−ＲＮＴＩ）に分類され得る。さらに、ダウンリンク送信中のシンボルの量は、ダウンリンクデータ送信中に占有されるＯＦＤＭシンボルの量であり得、すなわち、ダウンリンクデータが分配されるＯＦＤＭシンボルの量であるか、または通常、ＰＵＳＣＨによって占有されるＯＦＤＭシンボルの量として理解され得る。
【００３５】
本出願の実施形態では、上記は、ＤＭＲＳに関連するダウンリンクスケジューリングコマンドのＤＣＩのフォーマットが１＿０である一例を与えることを理解されたい。ただし、ＤＭＲＳに関連するアップリンクスケジューリングコマンドのＤＣＩのフォーマットが１＿１でないという条件で、本出願の実施形態はそれに限定されない。したがって、フォーマットが１＿０であるＤＣＩは、フォーマットが１＿１でないＤＣＩとして表され得る。
【００３６】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【００３７】
本出願の実施形態では、ダウンリンク送信中に占有されるシンボルは、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）によって占有されるシンボルであり得ることを理解されたい。
【００３８】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【００３９】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【００４０】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【００４１】
第５の態様によれば、通信装置が提供され、第１の態様、第３の態様、または第１の態様もしくは第３の態様における任意の可能な実装において方法を実行するように構成されたモジュールまたはユニットを含む。
【００４２】
一実装では、通信装置は、端末デバイスである。
【００４３】
第６の態様によれば、通信装置が提供され、第２の態様、第４の態様、または第２の態様もしくは第４の態様における任意の可能な実装において方法を実行するように構成されたモジュールまたはユニットを含む。
【００４４】
一実装では、通信装置は、ネットワークデバイスである。
【００４５】
第７の態様によれば、通信装置が提供され、トランシーバと、プロセッサと、メモリとを含む。プロセッサは、信号を送受信するようにトランシーバを制御するように構成される。メモリは、コンピュータプログラムを記憶するように構成される。プロセッサは、メモリからコンピュータプログラムを呼び出し、コンピュータプログラムを実行するように構成され、したがって、通信装置は、第１の態様、第３の態様、または第１の態様もしくは第３の態様における可能な実装における方法を実行する。
【００４６】
一実装では、通信装置は、端末デバイスである。
【００４７】
第８の態様によれば、通信装置が提供され、トランシーバと、プロセッサと、メモリとを含む。プロセッサは、信号を送受信するようにトランシーバを制御するように構成される。メモリは、コンピュータプログラムを記憶するように構成される。プロセッサは、メモリからコンピュータプログラムを呼び出し、コンピュータプログラムを実行するように構成され、したがって、通信装置は、第２の態様、第４の態様、または第２の態様もしくは第４の態様における可能な実装における方法を実行する。
【００４８】
一実装では、通信装置は、ネットワークデバイスである。
【００４９】
第９の態様によれば、コンピュータ可読媒体が提供される。コンピュータプログラムは、コンピュータ可読媒体上に記憶される。コンピュータによって実行されているとき、コンピュータプログラムは、第１の態様、第３の態様、または第１の態様もしくは第３の態様における任意の可能な実装における方法を実装する。
【００５０】
第１０の態様によれば、コンピュータ可読媒体が提供される。コンピュータプログラムは、コンピュータ可読媒体上に記憶される。コンピュータによって実行されているとき、コンピュータプログラムは、第２の態様、第４の態様、または第２の態様もしくは第４の態様における任意の可能な実装における方法を実装する。
【００５１】
第１１の態様によれば、コンピュータプログラム製品が提供される。コンピュータによって実行されているとき、コンピュータプログラム製品は、第１の態様、第３の態様、または第１の態様もしくは第３の態様における任意の可能な実装における方法を実装する。
【００５２】
第１２の態様によれば、コンピュータプログラム製品が提供される。コンピュータによって実行されているとき、コンピュータプログラム製品は、第２の態様、第４の態様、または第２の態様もしくは第４の態様における任意の可能な実装における方法を実装する。
【００５３】
第１３の態様によれば、処理装置が提供され、プロセッサを含む。
【００５４】
一実装では、第１の態様から第４の態様または第１の態様から第４の態様における任意の可能な実装における方法は、プロセッサによって実行される。この場合、プロセッサは、専用のプロセッサであり得る。
【００５５】
別の実装では、処理装置は、メモリをさらに含み得る。メモリは、コードを記憶する。プロセッサは、第１の態様から第４の態様または第１の態様から第４の態様における任意の可能な実装における方法を実行するためにメモリ中のコードを実行する。この場合、プロセッサは、汎用のプロセッサであり得る。
【００５６】
第１３の態様におけるＤＭＲＳを送ることなどの関係するデータ交換処理は、プロセッサからＤＭＲＳを出力する処理であり得、ＤＭＲＳを受信することは、プロセッサによって入力されたＤＭＲＳを受信する処理であり得ることを理解されたい。具体的には、プロセッサから出力されたデータは送信機に出力され得、プロセッサによって受信された入力済みデータは、受信機から来るものであり得る。送信機および受信機はトランシーバと総称され得る。
【００５７】
第１３の態様における処理装置は、チップであり得る。プロセッサは、ハードウェアを使用することによって実装され得るか、またはソフトウェアを使用することによって実装され得る。ハードウェアを使用することによって実装されているとき、プロセッサは、論理回路、集積回路などであり得る。ソフトウェアを使用することによって実装されているとき、プロセッサは、汎用プロセッサであり得、メモリ上に記憶されたソフトウェアコードを読むことによって実装される。メモリは、プロセッサ中に統合され得るか、またはプロセッサの外側に位置し、独立して存在し得る。
【００５８】
第１４の態様によれば、システムが提供され、上記で説明されたネットワークデバイスと端末デバイスとを含む。
【図面の簡単な説明】
【００５９】
【図１】本出願の一実施形態による、適用可能な通信システムのシナリオの概略図である。
【図２】ＤＭＲＳのパターンの概略図である。
【図３】本出願による、通信方法の概略フローチャートである。
【図４】本出願による、別の通信方法の概略フローチャートである。
【図５】本出願による、通信装置の概略ブロック図である。
【図６】本出願による、別の通信装置の概略ブロック図である。
【図７】本出願による、端末デバイスの概略ブロック図である。
【図８】本出願による、別の通信装置の概略ブロック図である。
【図９】本出願による、別の通信装置の概略ブロック図である。
【図１０】本出願による、ネットワークデバイスの概略ブロック図である。
【発明を実施するための形態】
【００６０】
以下は、添付の図面を参照しながら本出願の技術的解決策について説明する。
【００６１】
本出願の実施形態は、様々な通信システムに適用され得る。したがって、以下の説明は、特定の通信システムに限定されない。次世代通信システムは、第５世代（５ｔｈ  Ｇｅｎｅｒａｔｉｏｎ、５Ｇ）通信システム、たとえば、新無線（Ｎｅｗ  Ｒａｄｉｏ、ＮＲ）システムである。
【００６２】
本出願の実施形態では、ネットワークデバイスは、将来の５Ｇネットワーク上のネットワーク側のデバイス、たとえば、ＮＲシステム中の送信ポイント（ＴＲＰまたはＴＰ）、ＮＲシステム中の基地局（ｇＮＢ）、ＮＲシステム中のリモート無線ユニットなどの無線ユニット、５Ｇシステム中の基地局のアンテナパネルの（複数のアンテナパネルを含む）１つまたは１つのグループであり得る。異なるネットワークデバイスは、同じセル中に位置し得るか、または異なるセル中に位置し得る。具体的には、これは本明細書では限定されない。
【００６３】
いくつかの展開では、ｇＮＢは、集中ユニット（Ｃｅｎｔｒａｌｉｚｅｄ  Ｕｎｉｔ、ＣＵ）と分散ユニット（Ｄｉｓｔｒｉｂｕｔｅｄ  Ｕｎｉｔ、ＤＵ）とを含み得る。ｇＮＢは、無線ユニット（Ｒａｄｉｏ  Ｕｎｉｔ、ＲＵ）をさらに含み得る。ＣＵは、ｇＮＢのいくつかの機能を実装し、ＤＵは、ｇＮＢのいくつかの機能を実装する。たとえば、ＣＵは、無線リソース制御（Ｒａｄｉｏ  Ｒｅｓｏｕｒｃｅ  Ｃｏｎｔｒｏｌ、ＲＲＣ）レイヤとパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤとの機能を実装し、ＤＵは、無線リンク制御（Ｒａｄｉｏ  Ｌｉｎｋ  Ｃｏｎｔｒｏｌ、ＲＬＣ）レイヤと、媒体アクセス制御（Ｍｅｄｉａ  Ａｃｃｅｓｓ  Ｃｏｎｔｒｏｌ、ＭＡＣ）レイヤと、物理（Ｐｈｙｓｉｃａｌ、ＰＨＹ）レイヤとの機能を実装する。ＲＲＣレイヤに関する情報が、最後に、ＰＨＹレイヤに関する情報に変更されるか、またはＰＨＹレイヤに関する情報から変更されるので、このアーキテクチャでは、ＲＲＣレイヤシグナリングまたはＰＨＣＰレイヤシグナリングなどの上位レイヤシグナリングは、代替として、ＤＵによって送られるかまたはＤＵとＲＵとによって送られると考慮され得る。ネットワークデバイスが、ＣＵノード、ＤＵノード、またはＣＵノードとＤＵノードとを含むデバイスであり得ることが理解され得る。さらに、ＣＵは、アクセスネットワークＲＡＮ上のネットワークデバイスとして分類され得るか、またはＣＵは、コアネットワークＣＮ上のネットワークデバイスとして分類され得る。これは本明細書では限定されない。
【００６４】
本出願の実施形態における端末デバイスは、ユーザ機器（Ｕｓｅｒ  Ｅｑｕｉｐｍｅｎｔ、ＵＥ）、アクセス端末、加入者ユニット、加入者局、移動局、モバイルコンソール、リモート局、リモート端末、モバイルデバイス、ユーザ端末、端末、ワイヤレス通信デバイス、ユーザエージェント、ユーザ装置などと呼ばれることもある。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）フォン、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続された別の処理デバイス、ビークル搭載のデバイス、ウェアラブルデバイス、将来の５Ｇネットワーク中の端末デバイス、または将来発展されるパブリックランドモバイルネットワーク（Ｐｕｂｌｉｃ  Ｌａｎｄ  Ｍｏｂｉｌｅ  Ｎｅｔｗｏｒｋ、ＰＬＭＮ）中の端末デバイスであり得る。これは、本出願の実施形態では限定されない。
【００６５】
限定でなく一例として、本発明の実施形態では、端末デバイスはまた、ウェアラブルデバイスであり得る。ウェアラブルデバイスは、ウェアラブルインテリジェントデバイスと呼ばれることもあり、普段着のインテリジェント設計にウェアラブル技術を適用することによって開発される眼鏡、手袋、時計、衣服、および靴などのウェアラブルデバイスの一般的な用語である。ウェアラブルデバイスは、体に直接着用されることが可能であるかまたはユーザの衣服またはアクセサリに統合されることが可能であるポータブルデバイスである。ウェアラブルデバイスは、単にハードウェアデバイスであるだけではなく、ソフトウェアサポート、データ対話、およびクラウド対話を通して強力な機能を実装するためにも使用される。一般化されたウェアラブルインテリジェントデバイスは、スマートウォッチまたはスマートガラスなど、スマートフォンに依存することなしに完全なまたは部分的な機能を実装することができるフル機能の大きいサイズのデバイスと、バイタルサインの監視のための様々なスマートバンドまたはスマートジュエリーなど、ただ１つのタイプの適用に焦点を当て、スマートフォンなどの他のデバイスと作業する必要のあるデバイスとを含む。
【００６６】
本出願の実施形態は、上記の任意の通信システムに適用可能であり得る。たとえば、本出願の実施形態は、ＬＴＥシステムおよび５Ｇなどの後続に発展されたシステム、または符号分割多元接続、周波数分割多元接続、時分割多元接続、直交周波数分割多元接続およびシングルキャリア周波数分割多元接続などのアクセス技術を使用するシステムなどの様々な無線アクセス技術を使用する別のワイヤレス通信システムに適用可能であり、特に、チャネル情報フィードバックを必要とするシナリオおよび／もしくは大規模多入力多出力（Ｍａｓｓｉｖｅ  Ｍｕｌｔｉｐｌｅ−Ｉｎｐｕｔ  Ｍｕｌｔｉｐｌｅ−Ｏｕｔｐｕｔ、Ｍａｓｓｉｖｅ  ＭＩＭＯ）技術が適用されるワイヤレスネットワークなどの第２レベルのプリコーディング技術が適用されるシナリオ、または分散アンテナ技術が適用されるワイヤレスネットワークに適用可能であり得る。
【００６７】
図１は、本出願の一実施形態による、適用可能な通信システムのシナリオの概略図である。図１に示されるように、通信システム１００は、ネットワーク側のデバイス１０２と（端末デバイス１１６および端末デバイス１２２などの）複数の端末デバイスとを含む。ネットワークデバイス１０２は、端末デバイスに通信サービスを与え、コアネットワークにアクセスし得る。端末デバイスは、ネットワークデバイスによって送られた同期信号、ブロードキャスト信号などを探索することによってネットワークにアクセスし、それによって、ネットワークとの通信を実行し、たとえば、アップリンク／ダウンリンク送信を実行する。
【００６８】
具体的には、ネットワーク側のデバイス１０２は、複数のアンテナグループを含み得る。各アンテナグループは、複数のアンテナを含み得る。たとえば、１つのアンテナグループは、アンテナ１０４および１０６を含み得、別のアンテナグループは、アンテナ１０６および１１０を含み得、追加のグループは、アンテナ１１２および１１４を含み得る。アンテナグループごとに、図１に２つのアンテナが示されている。しかしながら、より多いまたはより少ないアンテナが、各グループのために使用され得る。ネットワーク側のデバイス１０２は、送信機チェーンと受信機チェーンとをさらに含み得、当業者はそして、送信機チェーンと受信機チェーンとの両方が信号送信および受信に関係する複数の構成要素（たとえば、プロセッサ、変調器、マルチプレクサ、復調器、デマルチプレクサ、およびアンテナ）を含み得ることを理解し得る。
【００６９】
ネットワーク側のデバイス１０２は、複数の端末デバイス（たとえば、端末デバイス１１６および端末デバイス１２２）と通信し得る。しかしながら、ネットワーク側のデバイス１０２は、端末デバイス１１６または１２２と同様の任意の量の端末デバイスと通信し得ることが理解され得る。
【００７０】
図１に示されているように、端末デバイス１１６は、アンテナ１１２および１１４と通信する。アンテナ１１２および１１４は、順方向リンク１１６を介して端末デバイス１１６に情報を送り、逆方向リンク１２０を介して端末デバイス１１６から情報を受信する。さらに、端末デバイス１２２は、アンテナ１０４および１０６と通信し、アンテナ１０４および１０６は、順方向リンク１２４を介して端末デバイス１２２に情報を送り、逆方向リンク１２６を介して端末デバイス１２２から情報を受信する。
【００７１】
たとえば、周波数分割複信（Ｆｒｅｑｕｅｎｃｙ  Ｄｉｖｉｓｉｏｎ  Ｄｕｐｌｅｘ、ＦＤＤ）システムでは、順方向リンク１１６は、逆方向リンク１２０によって使用される周波数帯域とは異なる周波数帯域を使用し得、順方向リンク１２４は、逆方向リンク１２６によって使用される周波数帯域とは異なる周波数帯域を使用し得る。
【００７２】
別の例では、時分割複信（Ｔｉｍｅ  Ｄｉｖｉｓｉｏｎ  Ｄｕｐｌｅｘ、ＴＤＤ）システムおよび全二重（Ｆｕｌｌ  Ｄｕｐｌｅｘ）システムでは、順方向リンク１１６と逆方向リンク１２０とは同じ周波数帯域を使用し得、順方向リンク１２４と逆方向リンク１２６とは同じ周波数帯域を使用し得る。
【００７３】
通信のために設計されたアンテナの各グループおよび／または各エリアは、ネットワーク側のデバイス１０２のセクタと呼ばれる。たとえば、アンテナグループは、ネットワーク側のデバイス１０２のカバレージエリアのセクタ中の端末デバイスと通信するように設計され得る。ネットワーク側のデバイス１０２が順方向リンク１１６および１２４を介して、それぞれ、端末デバイス１１６および１２２と通信するとき、ネットワーク側のデバイス１０２の送信アンテナは、ビームフォーミングを通して順方向リンク１１６および１２４の信号対雑音比を改善し得る。さらに、ネットワーク側のデバイスが１つの単一のアンテナを使用することによってネットワーク側のデバイスのすべての端末デバイスに信号を送る方式と比較して、ネットワーク側のデバイス１０２がビームフォーミングを通して、関連するカバレージエリア中でランダムに分散される端末デバイス１１６および１２２に信号を送るとき、隣接セル中のモバイルデバイスがより少ない干渉を受ける。
【００７４】
所与の時間に、ネットワーク側のデバイス１０２、端末デバイス１１６、または端末デバイス１２２は、ワイヤレス通信送信装置および／またはワイヤレス通信受信装置であり得る。データ送るとき、ワイヤレス通信のための送信装置は、送信のためのデータを符号化し得る。具体的には、ワイヤレス通信のための送信装置は、ワイヤレス通信のための受信装置にチャネルを使用することによって送られるべき特定の量のデータビットを取得し得る（たとえば、生成するか、別の通信装置から受信するか、またはメモリ中に記憶し得る）。データビットは、データのトランスポートブロック（または複数のトランスポートブロック）中に含まれ得、トランスポートブロックは、複数のコードブロックを生成するためにセグメント化され得る。
【００７５】
さらに、通信システム１００は、パブリックランドモバイルネットワークＰＬＭＮ、デバイスツーデバイス（Ｄｅｖｉｃｅ  ｔｏ  Ｄｅｖｉｃｅ、Ｄ２Ｄ）ネットワーク、マシンツーマシン（Ｍａｃｈｉｎｅ  ｔｏ  Ｍａｃｈｉｎｅ、Ｍ２Ｍ）ネットワーク、または別のネットワークであり得る。図１は、理解しやすいような簡略概略図の一例にすぎない。ネットワークは、図１に描かれていない別のネットワークデバイスをさらに含み得る。
【００７６】
データの送信中に、（アップリンク送信中の端末デバイスまたはダウンリンク送信中のネットワークデバイスなどの）送信側は、復調基準信号（Ｄｅｍｏｄｕｌａｔｉｏｎ  Ｒｅｆｅｒｅｎｃｅ  Ｓｉｇｎａｌ、ＤＭＲＳ）を送る必要があり、したがって、（アップリンク送信中のネットワークデバイスまたはダウンリンク送信中の端末デバイスなどの）受信側は、ＤＭＲＳに基づいてデータを復調する。
【００７７】
受信側によるデータの正しい復調を実装するために、受信側と送信側とは、同じ電力補償値について知る必要がある。既存の標準では、ＤＣＩフォーマット０＿１およびＤＣＩフォーマット１＿１の場合、ネットワークデバイスは、シグナリングの形態で、ＤＭＲＳの電力補償値を示し得る。
【００７８】
たとえば、ＤＣＩフォーマット０＿１およびＤＣＩフォーマット１＿１の場合、ネットワークデバイスは、アンテナポートダウンリンク制御情報フィールド（アンテナポートＤＣＩフィールド）などのＤＣＩ中のフィールドを使用することによってＤＭＲＳの電力補償値を示し得る。
【００７９】
具体的には、端末デバイスは、パラメータ、すなわちデータなしのＣＤＭグループ（ＣＤＭ  Ｇｒｏｕｐｓ  ｗｉｔｈｏｕｔ  Ｄａｔａ）について知るためにＤＣＩ中のアンテナポートダウンリンク制御情報フィールド（アンテナポートＤＣＩフィールド）を使用し得、端末デバイスは、ＤＭＲＳの電力補償値について知るために表１に問い合わせ得る。表１は、既存の３８．２１４標準中の表（Ｔａｂｌｅ）４．１−１および表６．２．２−１、リソース要素当たりの復調基準信号エネルギーに対するリソース要素当たりのダウンリンク／アップリンク共有チャネルエネルギーの比（Ｒａｔｉｏ  ｏｆ  ＰＤＳＣＨ／ＰＵＳＣＨ  ＥＰＲＥ  ｔｏ  ＤＭ−ＲＳ  ＥＰＲＥ）であり得る。
【００８０】
【表１】
2021523637.tif 000003
【００８１】
端末デバイスがＲＲＣ接続を確立しないとき、たとえば、端末デバイスが、上位レイヤ構成を受信しないか、またはＤＣＩフォーマットが０＿０もしくは１＿０であるとき、送信側は、ＤＭＲＳのデフォルトパターンと（ポート０（Ｐｏｒｔ  ０））などの固定されたポートとを使用することによってＤＭＲＳを送信する。
【００８２】
たとえば、限定ではなく一例として、端末デバイスは、ＲＲＣ接続を確立せず、ＤＣＩフォーマットが０＿０または１＿０である制御チャネルによってスケジュールされるとき、ＤＭＲＳを送信するために送信側によって使用されるデフォルトパターンの形態が図２に示されている。この場合ＤＭＲＳを送るためのポートが固定されるので、ＤＣＩは、アンテナポートダウンリンク制御情報フィールドを含まない。したがって、端末デバイスは特定の電力補償値について知ることができず、受信側と送信側との間の通信のパフォーマンスに影響を及ぼす。
【００８３】
上記の問題に鑑みて、本出願の実施形態は、ＤＭＲＳの送信のための特定の解決策を与える。限定ではなく一例として、以下は、通信システムにおいて本出願の通信方法を実行する処理および行為について説明する。
【００８４】
以下は、図３を参照しながら本出願の一実施形態によるアップリンク送信の解決策について説明し、図４を参照しながら本出願の一実施形態によるダウンリンク送信の解決策について説明する。
【００８５】
図３は、本出願の一実施形態によるアップリンク送信方法について説明する。図３に示された方法は、ネットワークデバイスと端末デバイスとの間の対話の観点から説明される。具体的には、図３に示された方法３００は以下のステップを含む。
【００８６】
３１０：端末デバイスは、ＤＭＲＳの電力を決定する。
【００８７】
特定の実装処理では、端末デバイスは、表２に記載されている対応を参照することによってＤＭＲＳの電力を決定し得る。
【００８８】
【表２】
2021523637.tif 000004
【００８９】
特定の実装処理では、上記の表中のいくつかの対応またはすべての対応が特定の要件に基づいて選択され得ることに留意されたい。
【００９０】
アップリンクスケジューリングコマンドは、通常、アップリンクデータ送信をスケジュールするために使用されるコマンドである。アップリンクデータ送信中に、通常は、対応するＤＭＲＳも送信される必要があり、したがって、ネットワークデバイスは、ＤＭＲＳに基づいて、アップリンクデータ送信の処理中に送信されるデータを復調する。したがって、ＤＭＲＳに関連するアップリンクスケジューリングコマンドは、復調がＤＭＲＳに基づいて実行されるアップリンクデータ送信をスケジュールするアップリンクスケジューリングコマンドとして理解され得る。特定の実装処理では、アップリンクスケジューリングコマンドは、ＤＣＩであり得る。通常、ＤＣＩは、巡回冗長検査（Ｃｙｃｌｉｃ  Ｒｅｄｕｎｄａｎｃｙ  Ｃｈｅｃｋ、ＣＲＣ）フィールドを含み、ＣＲＣフィールドは、ＤＣＩの（端末デバイスなどの）受信機デバイスの無線ネットワーク一時識別（Ｒａｄｉｏ  Ｎｅｔｗｏｒｋ  Ｔｅｍｐｏｒａｒｙ  Ｉｄｅｎｔｉｔｙ、ＲＮＴＩ）に基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、一時構成ＲＮＴＩ（Ｔｅｍｐｏｒａｒｙ  Ｃｏｎｆｉｇｕｒｅ  ＲＮＴＩ、ＴＣ−ＲＮＴＩ）およびセルＲＮＴＩ（Ｃｅｌｌ  ＲＮＴＩ、Ｃ−ＲＮＴＩ）に分類され得る。さらに、アップリンク送信中のシンボルの量は、アップリンクデータ送信中に占有されるＯＦＤＭシンボルの量であり得、すなわち、アップリンクデータが分配されるＯＦＤＭシンボルの量であるか、または通常、ＰＵＳＣＨによって占有されるＯＦＤＭシンボルの量として理解され得る。
【００９１】
具体的には、上記のＲＮＴＩの定義および機能については、従来技術を参照されたく、たとえば、ＬＴＥにおける規定を参照されたい。本明細書では、詳細を再び説明しない。
【００９２】
実際に、上記における表２中の各行は、通信ステータスを表すものとして理解され得る。第１の行から第９の行は、それぞれ、通信ステータス１から通信ステータス９に対応する。端末デバイスは、ネットワークパラメータの値に基づいて現在の通信ステータス（またはネットワークステータスと呼ばれる）を決定し、現在の通信ステータスに対応するＤＭＲＳの電力を決定するために現在の通信ステータスに基づいて上記の表２に問い合わせ得ることがこれからわかることができる。
【００９３】
本明細書では、９つのアップリンク通信ステータスの場合が単に一例としてリストされており、本出願の実施形態は、具体的には、別のアップリンク通信ステータスをさらに含み得ることを理解されたい。本出願の実施形態はそれに限定されない。
【００９４】
さらに、上記の９つの通信ステータスの各々に対応するパラメータの値の条件は、単に一例であることを理解されたい。実際の適用中に、各通信ステータスに対応する条件は、量が増加もしくは減少され得るか、または異なる通信ステータスの条件が相互にマージされ得る。上記の９つの通信ステータスは、相互に組み合わされるか、マージされるか、またはネスティングされ得る。本出願の実施形態はそれに限定されない。
【００９５】
具体的には、図２に示されたＤＭＲＳのパターンに基づいて、ＤＭＲＳに対応するシンボル（以下、略してＤＭＲＳシンボル）中の一部のＲＥのみがＤＭＲＳを送信するために使用され、他のＲＥは、ＤＭＲＳを送信するために使用されないことがわかることができる。
【００９６】
現在の通信ステータスが通信ステータス１、通信ステータス２、または通信ステータス７であるとき、ＰＵＳＣＨ送信中に占有されるシンボルの量が比較的少なく、２以下であるので、ＤＭＲＳを送信するために使用されない、ＤＭＲＳシンボル中にあるＲＥは、アップリンクデータを送信するために使用され得、それによって、データ送信量を増加させてネットワークスループットを増加させる。この場合、信号がＤＭＲＳシンボル中の各ＲＥ中で送信されるので、ＤＭＲＳの電力は、ブーストされる必要がなく、すなわち、ＤＭＲＳの電力は、標準電力である。
【００９７】
現在の通信ステータスが、通信ステータス３、通信ステータス４、または通信ステータス８であるとき、ＰＵＳＣＨ送信中に占有されるシンボルの量は比較的大きく、２つのシンボルよりも大きく、アップリンクデータ量はこの場合比較的大きいので、関連する推定の精度を改善するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【００９８】
現在の通信ステータスが、通信ステータス５、通信ステータス６、または通信ステータス９であるとき、信号のピーク対平均電力比（Ｐｅａｋ  ｔｏ  Ａｖｅｒａｇｅ  Ｐｏｗｅｒ  Ｒａｔｉｏ、ＰＡＰＲ）を保証するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【００９９】
本出願の実施形態では、上記は、ＤＭＲＳに関連するアップリンクスケジューリングコマンドのＤＣＩのフォーマットが０＿０である一例を与えることを理解されたい。ただし、ＤＭＲＳに関連するアップリンクスケジューリングコマンドのＤＣＩのフォーマットが０＿１でないという条件で、本出願の実施形態はそれに限定されない。したがって、フォーマットが０＿０であるＤＣＩは、フォーマットが０＿１でないＤＣＩとして表され得る。
【０１００】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【０１０１】
本出願の実施形態では、アップリンク送信中に占有されるシンボルは、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）によって占有されるシンボルであり得ることを理解されたい。
【０１０２】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【０１０３】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【０１０４】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【０１０５】
上記の説明に基づき、本出願の実施形態では、上記にリストされている９つの通信ステータスがそれぞれＤＭＲＳの１つの電力に対応することが推論されることは可能である。
【０１０６】
上記の実装では、ネットワークデバイスと端末デバイスとの両方は、上記の表２に問い合わせることによってネットワークパラメータの値に基づいてＤＭＲＳの電力を直接決定し得る。
【０１０７】
代替として、別の実装では、本出願の実施形態では、ネットワークデバイスと端末デバイスとは、表に問い合わせることによってＤＭＲＳの電力を間接的に取得し得る。
【０１０８】
具体的には、ネットワークデバイスと端末デバイスとは、上記の複数のパラメータの値とデータなしの符号分割多重化グループ（ＣＤＭ  Ｇｒｏｕｐｓ  ｗｉｔｈｏｕｔ  Ｄａｔａ）の値との間の対応を記憶し得る。たとえば、対応は、以下の表３に示される。
【０１０９】
【表３】
2021523637.tif 000005
【０１１０】
特定の実装処理では、端末デバイスは、現在のネットワーク上での上記のパラメータの値に基づいて、端末デバイスに対応するデータなしの符号分割多重化グループ（ＣＤＭ  Ｇｒｏｕｐｓ  ｗｉｔｈｏｕｔ  Ｄａｔａ）の値を決定し、次いで、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１１１】
代替として、別の実装では、本出願の実施形態では、ネットワークデバイスと端末デバイスとは、上記の表２または表３中の対応を事前構成する必要がないことがある。たとえば、本出願の実施形態では、フィールドは、フォーマットが０＿０であるＤＣＩに追加され得る。たとえば、アンテナポートダウンリンク制御情報フィールド（Ａｎｔｅｎｎａ  Ｐｏｒｔ（ｓ）  ＤＣＩ  Ｆｉｅｌｄ）が追加され得る。データなしの符号分割多重化グループ（ＣＤＭ  Ｇｒｏｕｐｓ  ｗｉｔｈｏｕｔ  Ｄａｔａ）は、追加されたフィールドを使用することによって示され、ネットワークデバイスと端末デバイスとは、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１１２】
代替として、別の実装では、本出願の実施形態では、ネットワークデバイスと端末デバイスとは、上記の表２または表３中の対応を事前構成する必要がないことがある。
【０１１３】
たとえば、本出願の実施形態では、１ビットなどの少なくとも１ビットがフォーマットが０＿０であるＤＣＩに追加され得る。１ビットの値が０であるとき、ＤＭＲＳの対応する電力は標準電力＋０ｄＢであり、１ビットの値が１であるとき、ＤＭＲＳの対応する電力は標準電力＋３ｄＢである。代替として、１ビットの値が１であるとき、ＤＭＲＳの対応する電力は標準電力＋０ｄＢであり、１ビットの値が０であるとき、ＤＭＲＳの対応する電力は標準電力＋３ｄＢである。ネットワークデバイスと端末デバイスとは、次いで、少なくとも１ビットに関する情報のインジケーションに基づいてＤＭＲＳの電力を決定し得る。
【０１１４】
３２０：端末デバイスは、決定された電力に基づいてＤＭＲＳを送る。
【０１１５】
相応して、ネットワークデバイスは、ＤＭＲＳを受信する。
【０１１６】
具体的には、端末デバイスによって使用される方法と同様の方法を使用することによって、ネットワークデバイスは、ＤＭＲＳの電力を決定し、ＤＭＲＳの決定された電力に基づいてＤＭＲＳを受信し得る。具体的には、ＤＭＲＳの電力を決定するためにネットワークデバイスによって使用される方法について、上記の説明を参照されたい。
【０１１７】
たとえば、特定の実装処理では、ネットワークデバイスは、表２に記載されている対応を参照することによってＤＭＲＳの電力を決定し得る。
【０１１８】
特定の実装処理では、表２中のいくつかの対応またはすべての対応が特定の要件に基づいて選択され得ることに留意されたい。
【０１１９】
アップリンクスケジューリングコマンドは、通常、アップリンクデータ送信をスケジュールするために使用されるコマンドである。アップリンクデータ送信中に、通常は、対応するＤＭＲＳも送信される必要があり、したがって、ネットワークデバイスは、ＤＭＲＳに基づいて、アップリンクデータ送信の処理中に送信されるデータを復調する。したがって、ＤＭＲＳに関連するアップリンクスケジューリングコマンドは、復調がＤＭＲＳに基づいて実行されるアップリンクデータ送信をスケジュールするアップリンクスケジューリングコマンドとして理解され得る。特定の実装処理では、アップリンクスケジューリングコマンドは、ＤＣＩであり得る。通常、ＤＣＩは、巡回冗長検査（Ｃｙｃｌｉｃ  Ｒｅｄｕｎｄａｎｃｙ  Ｃｈｅｃｋ、ＣＲＣ）フィールドを含み、ＣＲＣフィールドは、ＤＣＩの（端末デバイスなどの）受信機デバイスの無線ネットワーク一時識別（Ｒａｄｉｏ  Ｎｅｔｗｏｒｋ  Ｔｅｍｐｏｒａｒｙ  Ｉｄｅｎｔｉｔｙ、ＲＮＴＩ）に基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、一時構成ＲＮＴＩ（Ｔｅｍｐｏｒａｒｙ  Ｃｏｎｆｉｇｕｒｅ  ＲＮＴＩ、ＴＣ−ＲＮＴＩ）およびセルＲＮＴＩ（Ｃｅｌｌ  ＲＮＴＩ、Ｃ−ＲＮＴＩ）に分類され得る。さらに、アップリンク送信中のシンボルの量は、アップリンクデータ送信中に占有されるＯＦＤＭシンボルの量であり得、すなわち、アップリンクデータが分配されるＯＦＤＭシンボルの量であるか、または通常、ＰＵＳＣＨ上で占有されるＯＦＤＭシンボルの量として理解され得る。
【０１２０】
具体的には、上記のＲＮＴＩの定義および機能については、従来技術を参照されたく、たとえば、ＬＴＥにおける規定を参照されたい。本明細書では、詳細を再び説明しない。
【０１２１】
実際に、上記における表２中の各行は、通信ステータスを表すものとして理解され得る。第１の行から第９の行は、それぞれ、通信ステータス１から通信ステータス９に対応する。ネットワークデバイスは、ネットワークパラメータの値に基づいて現在の通信ステータス（またはネットワークステータスと呼ばれる）を決定し、現在の通信ステータスに対応するＤＭＲＳの電力を決定するために現在の通信ステータスに基づいて上記の表２に問い合わせ得ることがこれからわかることができる。
【０１２２】
本明細書では、９つのアップリンク通信ステータスの場合が単に一例としてリストされており、本出願の実施形態は、具体的には、別のアップリンク通信ステータスをさらに含み得ることを理解されたい。本出願の実施形態はそれに限定されない。
【０１２３】
さらに、上記の９つの通信ステータスの各々に対応するパラメータの値の条件は、単に一例であることを理解されたい。実際の適用中に、各通信ステータスに対応する条件は、量が増加もしくは減少され得るか、または異なる通信ステータスの条件が相互にマージされ得る。上記の９つの通信ステータスは、相互に組み合わされるか、マージされるか、またはネスティングされ得る。本出願の実施形態はそれに限定されない。
【０１２４】
具体的には、図２に示されたＤＭＲＳのパターンに基づいて、ＤＭＲＳに対応するシンボル（以下、略してＤＭＲＳシンボル）中の一部のＲＥのみがＤＭＲＳを送信するために使用され、他のＲＥは、ＤＭＲＳを送信するために使用されないことがわかることができる。
【０１２５】
現在の通信ステータスが通信ステータス１、通信ステータス２、または通信ステータス７であるとき、ＰＵＳＣＨによって占有されるシンボルの量が比較的少なく、２以下であるので、ＤＭＲＳを送信するために使用されない、ＤＭＲＳシンボル中にあるＲＥは、アップリンクデータを送信するために使用され得、それによって、データ送信量を増加させてネットワークスループットを増加させる。この場合、信号がＤＭＲＳシンボル中の各ＲＥ中で送信されるので、ＤＭＲＳの電力は、ブーストされる必要がなく、すなわち、ＤＭＲＳの電力は、標準電力である。
【０１２６】
現在の通信ステータスが、通信ステータス３、通信ステータス４、または通信ステータス８であるとき、ＰＵＳＣＨ送信中に占有されるシンボルの量は比較的大きく、２つのシンボルよりも大きく、アップリンクデータ量はこの場合比較的大きいので、関連する推定の精度を改善するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【０１２７】
現在の通信ステータスが、通信ステータス５、通信ステータス６、または通信ステータス９であるとき、信号のピーク対平均電力比（Ｐｅａｋ  ｔｏ  Ａｖｅｒａｇｅ  Ｐｏｗｅｒ  Ｒａｔｉｏ、ＰＡＰＲ）を保証するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【０１２８】
本出願の実施形態では、上記は、ＤＭＲＳに関連するアップリンクスケジューリングコマンドのＤＣＩのフォーマットが０＿０である一例を与えることを理解されたい。ただし、ＤＭＲＳに関連するアップリンクスケジューリングコマンドのＤＣＩのフォーマットが０＿１でないという条件で、本出願の実施形態はそれに限定されない。したがって、フォーマットが０＿０であるＤＣＩは、フォーマットが０＿１でないＤＣＩとして表され得る。
【０１２９】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【０１３０】
本出願の実施形態では、アップリンク送信中に占有されるシンボルは、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）によって占有されるシンボルであり得ることを理解されたい。
【０１３１】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【０１３２】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【０１３３】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【０１３４】
上記の説明に基づき、本出願の実施形態では、上記にリストされている９つの通信ステータスがそれぞれＤＭＲＳの１つの電力に対応することが推論されることが可能である。
【０１３５】
上記の実装では、ネットワークデバイスと端末デバイスとの両方は、上記の表２に問い合わせることによってネットワークパラメータの値に基づいてＤＭＲＳの電力を直接決定し得る。
【０１３６】
代替として、別の実装では、本出願の実施形態では、ネットワークデバイスと端末デバイスとは、表に問い合わせることによってＤＭＲＳの電力を間接的に取得し得る。
【０１３７】
具体的には、ネットワークデバイスと端末デバイスとは、上記の複数のパラメータの値とデータなしの符号分割多重化グループ（ＣＤＭ  Ｇｒｏｕｐｓ  ｗｉｔｈｏｕｔ  Ｄａｔａ）の値との間の対応を記憶し得る。たとえば、対応は、表３に示されている。
【０１３８】
特定の実装処理では、ネットワークデバイスは、現在のネットワーク上での上記のパラメータの値に基づいて、上記のパラメータに対応するデータなしの符号分割多重化グループ（ＣＤＭ  Ｇｒｏｕｐｓ  ｗｉｔｈｏｕｔ  Ｄａｔａ）の値を決定し、次いで、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１３９】
代替として、別の実装では、本出願の実施形態では、ネットワークデバイスと端末デバイスとは、上記の表２または表３中の対応を事前構成する必要がないことがある。たとえば、本出願の実施形態では、フィールドは、フォーマットが０＿０であるＤＣＩに追加され得る。たとえば、アンテナポートダウンリンク制御情報フィールド（Ａｎｔｅｎｎａ  Ｐｏｒｔ（ｓ）  ＤＣＩ  Ｆｉｅｌｄ）が追加され得る。データなしの符号分割多重化グループ（ＣＤＭ  Ｇｒｏｕｐｓ  ｗｉｔｈｏｕｔ  Ｄａｔａ）は、追加されたフィールドを使用することによって示され、ネットワークデバイスと端末デバイスとは、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１４０】
代替として、別の実装では、本出願の実施形態では、ネットワークデバイスと端末デバイスとは、上記の表２または表３中の対応を事前構成する必要がないことがある。
【０１４１】
たとえば、本出願の実施形態では、１ビットなどの少なくとも１ビットがフォーマットが０＿０であるＤＣＩに追加され得る。１ビットの値が０であるとき、ＤＭＲＳの対応する電力は標準電力＋０ｄＢであり、１ビットの値が１であるとき、ＤＭＲＳの対応する電力は標準電力＋３ｄＢである。代替として、１ビットの値が１であるとき、ＤＭＲＳの対応する電力は標準電力＋０ｄＢであり、１ビットの値が０であるとき、ＤＭＲＳの対応する電力は標準電力＋３ｄＢである。ネットワークデバイスと端末デバイスとは、次いで、少なくとも１ビットに関する情報のインジケーションに基づいてＤＭＲＳの電力を決定し得る。
【０１４２】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【０１４３】
図４は、本出願の一実施形態によるダウンリンク送信方法について説明する。図４に示された方法は、ネットワークデバイスと端末デバイスとの間の対話の観点から説明される。具体的には、図４に示された方法４００は以下のステップを含む。
【０１４４】
４１０：ネットワークデバイスは、ＤＭＲＳの電力を決定する。
【０１４５】
特定の実装処理では、ネットワークデバイスは、表４に記載されている対応を参照することによってＤＭＲＳの電力を決定し得る。
【０１４６】
【表４】
2021523637.tif 000006
【０１４７】
特定の実装処理では、上記の表中のいくつかの対応またはすべての対応が特定の要件に基づいて選択され得ることに留意されたい。
【０１４８】
ダウンリンクスケジューリングコマンドは、通常、ダウンリンクデータ送信をスケジュールするために使用されるコマンドである。ダウンリンクデータ送信中に、通常は、対応するＤＭＲＳも送信される必要があり、したがって、端末デバイスは、ＤＭＲＳに基づいて、ダウンリンクデータ送信の処理中に送信されるデータを復調する。したがって、ＤＭＲＳに関連するダウンリンクスケジューリングコマンドは、復調がＤＭＲＳに基づいて実行されるダウンリンクデータ送信をスケジュールするダウンリンクスケジューリングコマンドとして理解され得る。特定の実装処理では、ダウンリンクスケジューリングコマンドは、ＤＣＩであり得る。通常、ＤＣＩは、ＣＲＣフィールドを含み、ＣＲＣフィールドは、ＤＣＩの（端末デバイスなどの）受信機デバイスのＲＮＴＩに基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、ＴＣ−ＲＮＴＩ、Ｃ−ＲＮＴＩ、ページングＲＮＴＩ（Ｐａｇｉｎｇ  ＲＮＴＩ、Ｐ−ＲＮＴＩ）、システム情報ＲＮＴＩ（Ｓｙｓｔｅｍ  Ｉｎｆｏｒｍａｔｉｏｎ  ＲＮＴＩ、ＳＩ−ＲＮＴＩ）、ランダムアクセスＲＮＴＩ（Ｒａｎｄｏｍ  Ａｃｃｅｓｓ  ＲＮＴＩ、ＲＡ−ＲＮＴＩ）および構成されたスケジュールされたＲＮＴＩ（Ｃｏｎｆｉｇｕｒｅｄ  Ｓｃｈｅｄｕｌｅｄ  ＲＮＴＩ、ＣＳ−ＲＮＴＩ）に分類され得る。さらに、ダウンリンク送信中のシンボルの量は、ダウンリンクデータ送信中に占有されるＯＦＤＭシンボルの量であり得、すなわち、ダウンリンクデータが分配されるＯＦＤＭシンボルの量であるか、または通常、ＰＤＳＣＨ上で占有されるＯＦＤＭシンボルの量として理解され得る。
【０１４９】
具体的には、上記のＲＮＴＩの定義および機能については、従来技術を参照されたく、たとえば、ＬＴＥにおける規定を参照されたい。本明細書では、詳細を再び説明しない。
【０１５０】
実際に、上記における表４中の各行は、通信ステータスを表すものとして理解され得る。第１の行から第６の行は、それぞれ、通信ステータス１から通信ステータス６に対応する。ネットワークデバイスは、ネットワークパラメータの値に基づいて現在の通信ステータス（またはネットワークステータスと呼ばれる）を決定し、現在の通信ステータスに対応するＤＭＲＳの電力を決定するために現在の通信ステータスに基づいて上記の表３に問い合わせ得ることがこれからわかることが可能である。
【０１５１】
異なる通信ステータスに対応するＤＭＲＳの電力は、同じであることも異なることもある。本出願の実施形態はそれに限定されない。
【０１５２】
本明細書では、６つのダウンリンク通信ステータスの場合が単に一例としてリストされており、本出願の実施形態は、具体的には、別のダウンリンク通信ステータスをさらに含み得ることを理解されたい。本出願の実施形態はそれに限定されない。
【０１５３】
さらに、上記の６つの通信ステータスの各々に対応するパラメータの値の条件は、単に一例であることを理解されたい。実際の適用中に、各通信ステータスに対応する条件は、量が増加もしくは減少され得るか、または異なる通信ステータスの条件が相互にマージされ得る。上記の６つの通信ステータスは、相互に組み合わされるか、マージされるか、またはネスティングされ得る。本出願の実施形態はそれに限定されない。
【０１５４】
具体的には、図２に示されたＤＭＲＳのパターンに基づいて、ＤＭＲＳに対応するシンボル（以下、略してＤＭＲＳシンボル）中の一部のＲＥのみがＤＭＲＳを送信するために使用され、他のＲＥは、ＤＭＲＳを送信するために使用されないことがわかることができる。
【０１５５】
現在の通信ステータスが通信ステータス１、通信ステータス２、または通信ステータス５であるとき、ＰＤＳＣＨによって占有されるシンボルの量が比較的少なく、２以下であるので、ＤＭＲＳを送信するために使用されない、ＤＭＲＳシンボル中にあるＲＥは、ダウンリンクデータを送信するために使用され得、それによって、データ送信量を増加させてネットワークスループットを増加させる。この場合、信号がＤＭＲＳシンボル中の各ＲＥ中で送信されるので、ＤＭＲＳの電力は、ブーストされる必要がなく、すなわち、ＤＭＲＳの電力は、標準電力である。
【０１５６】
現在の通信ステータスが、通信ステータス３、通信ステータス４、または通信ステータス６であるとき、ＰＤＳＣＨ送信中に占有されるシンボルの量は比較的大きく、２つのシンボルよりも大きく、アップリンクデータ量はこの場合比較的大きいので、関連する推定の精度を改善するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【０１５７】
本出願の実施形態では、上記は、ＤＭＲＳに関連するダウンリンクスケジューリングコマンドのＤＣＩのフォーマットが１＿０である一例を与えることを理解されたい。ただし、ＤＭＲＳに関連するアップリンクスケジューリングコマンドのＤＣＩのフォーマットが１＿１でないという条件で、本出願の実施形態はそれに限定されない。したがって、フォーマットが１＿０であるＤＣＩは、フォーマットが１＿１でないＤＣＩとして表され得る。
【０１５８】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【０１５９】
本出願の実施形態では、ダウンリンク送信中に占有されるシンボルは、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）によって占有されるシンボルであり得ることを理解されたい。
【０１６０】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【０１６１】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【０１６２】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【０１６３】
上記の説明に基づき、本出願の実施形態では、上記にリストされている６つの通信ステータスがそれぞれＤＭＲＳの１つの電力に対応することが推論されることが可能である。
【０１６４】
上記の実装では、ネットワークデバイスと端末デバイスとの両方は、上記の表４に問い合わせることによってネットワークパラメータの値に基づいてＤＭＲＳの電力を直接決定し得る。
【０１６５】
代替として、別の実装では、本出願の実施形態では、ネットワークデバイスと端末デバイスとは、表に問い合わせることによってＤＭＲＳの電力を間接的に取得し得る。
【０１６６】
具体的には、ネットワークデバイスと端末デバイスとは、上記の複数のパラメータの値とデータなしの符号分割多重化グループ（ＣＤＭ  Ｇｒｏｕｐｓ  ｗｉｔｈｏｕｔ  Ｄａｔａ）の値との間の対応を記憶し得る。たとえば、対応は、以下の表５に示される。
【０１６７】
【表５】
2021523637.tif 000007
【０１６８】
特定の実装処理では、ネットワークデバイスは、現在のネットワーク上での上記のパラメータの値に基づいて、上記のパラメータに対応するデータなしの符号分割多重化グループ（ＣＤＭ  Ｇｒｏｕｐｓ  ｗｉｔｈｏｕｔ  Ｄａｔａ）の値を決定し、次いで、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１６９】
代替として、別の実装では、本出願の実施形態では、ネットワークデバイスと端末デバイスとは、上記の表４または表５中の対応を事前構成する必要がないことがある。たとえば、本出願の実施形態では、フィールドは、フォーマットが１＿０であるＤＣＩに追加され得る。たとえば、アンテナポートダウンリンク制御情報フィールド（Ａｎｔｅｎｎａ  Ｐｏｒｔ（ｓ）  ＤＣＩ  Ｆｉｅｌｄ）が追加され得る。データなしの符号分割多重化グループ（ＣＤＭ  Ｇｒｏｕｐｓ  ｗｉｔｈｏｕｔ  Ｄａｔａ）は、追加されたフィールドを使用することによって示され、ネットワークデバイスと端末デバイスとは、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１７０】
代替として、別の実装では、本出願の実施形態では、ネットワークデバイスと端末デバイスとは、上記の表４または表５中の対応を事前構成する必要がないことがある。
【０１７１】
たとえば、本出願の実施形態では、１ビットなどの少なくとも１ビットがフォーマットが１＿０であるＤＣＩに追加され得る。１ビットの値が０であるとき、ＤＭＲＳの対応する電力は標準電力＋０ｄＢであり、１ビットの値が１であるとき、ＤＭＲＳの対応する電力は標準電力＋３ｄＢである。代替として、１ビットの値が１であるとき、ＤＭＲＳの対応する電力は標準電力＋０ｄＢであり、１ビットの値が０であるとき、ＤＭＲＳの対応する電力は標準電力＋３ｄＢである。ネットワークデバイスと端末デバイスとは、次いで、少なくとも１ビットに関する情報のインジケーションに基づいてＤＭＲＳの電力を決定し得る。
【０１７２】
４２０：ネットワークデバイスは、決定された電力に基づいてＤＭＲＳを送る。
【０１７３】
相応して、端末デバイスは、ＤＭＲＳを受信する。
【０１７４】
具体的には、ネットワークデバイスによって使用される方法と同様の方法を使用することによって、端末デバイスは、ＤＭＲＳの電力を決定し、ＤＭＲＳの決定された電力に基づいてＤＭＲＳを受信し得る。具体的には、ＤＭＲＳの電力を決定するために端末デバイスによって使用される方法について、上記の説明を参照されたい。
【０１７５】
たとえば、端末デバイスは、表４に記載されている対応を参照することによってＤＭＲＳの電力を決定し得る。
【０１７６】
特定の実装処理では、表４中のいくつかの対応またはすべての対応が特定の要件に基づいて選択され得ることに留意されたい。
【０１７７】
ダウンリンクスケジューリングコマンドは、通常、ダウンリンクデータ送信をスケジュールするために使用されるコマンドである。ダウンリンクデータ送信中に、通常は、対応するＤＭＲＳも送信される必要があり、したがって、端末デバイスは、ＤＭＲＳに基づいて、ダウンリンクデータ送信の処理中に送信されるデータを復調する。したがって、ＤＭＲＳに関連するダウンリンクスケジューリングコマンドは、復調がＤＭＲＳに基づいて実行されるダウンリンクデータ送信をスケジュールするダウンリンクスケジューリングコマンドとして理解され得る。特定の実装処理では、ダウンリンクスケジューリングコマンドは、ＤＣＩであり得る。通常、ＤＣＩは、ＣＲＣフィールドを含み、ＣＲＣフィールドは、ＤＣＩの（端末デバイスなどの）受信機デバイスのＲＮＴＩに基づいてスクランブルされる。このようにして、受信機デバイスは、受信機デバイスに送られるＤＣＩを決定するためにＤＣＩ中のＣＲＣに基づいてブラインド検出を実行し得る。ＤＣＩおよびＤＣＩのＣＲＣに関係するコンテンツについては、従来技術において明確に説明されており、本明細書では、詳細を再び説明しない。通常、ＲＮＴＩは、具体的には、複数のタイプ、たとえば、限定はしないが、ＴＣ−ＲＮＴＩ、Ｃ−ＲＮＴＩ、ページングＲＮＴＩ（Ｐａｇｉｎｇ  ＲＮＴＩ、Ｐ−ＲＮＴＩ）、システム情報ＲＮＴＩ（Ｓｙｓｔｅｍ  Ｉｎｆｏｒｍａｔｉｏｎ  ＲＮＴＩ、ＳＩ−ＲＮＴＩ）、ランダムアクセスＲＮＴＩ（Ｒａｎｄｏｍ  Ａｃｃｅｓｓ  ＲＮＴＩ、ＲＡ−ＲＮＴＩ）および構成されたスケジュールされたＲＮＴＩ（Ｃｏｎｆｉｇｕｒｅｄ  Ｓｃｈｅｄｕｌｅｄ  ＲＮＴＩ、ＣＳ−ＲＮＴＩ）に分類され得る。さらに、ダウンリンク送信中のシンボルの量は、アップリンクデータ送信中に占有されるＯＦＤＭシンボルの量であり得、すなわち、アップリンクデータが分配されるＯＦＤＭシンボルの量であるか、または通常、ＰＤＳＣＨ上で占有されるＯＦＤＭシンボルの量として理解され得る。
【０１７８】
具体的には、上記のＲＮＴＩの定義および機能については、従来技術を参照されたく、たとえば、ＬＴＥにおける規定を参照されたい。本明細書では、詳細を再び説明しない。
【０１７９】
実際に、上記における表４中の各行は、通信ステータスを表すものとして理解され得る。第１の行から第６の行は、それぞれ、通信ステータス１から通信ステータス６に対応する。端末デバイスは、ネットワークパラメータの値に基づいて現在の通信ステータス（またはネットワークステータスと呼ばれる）を決定し、現在の通信ステータスに対応するＤＭＲＳの電力を決定するために現在の通信ステータスに基づいて上記の表３に問い合わせ得ることがこれからわかることができる。
【０１８０】
本明細書では、６つのダウンリンク通信ステータスの場合が単に一例としてリストされており、本出願の実施形態は、具体的には、別のアップリンク通信ステータスをさらに含み得ることを理解されたい。本出願の実施形態はそれに限定されない。
【０１８１】
さらに、上記の６つの通信ステータスの各々に対応するパラメータの値の条件は、単に一例であることを理解されたい。実際の適用中に、各通信ステータスに対応する条件は、量が増加もしくは減少され得るか、または異なる通信ステータスの条件が相互にマージされ得る。上記の６つの通信ステータスは、相互に組み合わされるか、マージされるか、またはネスティングされ得る。本出願の実施形態はそれに限定されない。
【０１８２】
具体的には、図２に示されたＤＭＲＳのパターンに基づいて、ＤＭＲＳに対応するシンボル（以下、略してＤＭＲＳシンボル）中の一部のＲＥのみがＤＭＲＳを送信するために使用され、他のＲＥは、ＤＭＲＳを送信するために使用されないことがわかることができる。
【０１８３】
現在の通信ステータスが通信ステータス１、通信ステータス２、または通信ステータス５であるとき、ＰＤＳＣＨによって占有されるシンボルの量が比較的少なく、２以下であるので、ＤＭＲＳを送信するために使用されない、ＤＭＲＳシンボル中にあるＲＥは、ダウンリンクデータを送信するために使用され得、それによって、データ送信量を増加させてネットワークスループットを増加させる。この場合、信号がＤＭＲＳシンボル中の各ＲＥ中で送信されるので、ＤＭＲＳの電力は、ブーストされる必要がなく、すなわち、ＤＭＲＳの電力は、標準電力である。
【０１８４】
現在の通信ステータスが、通信ステータス３、通信ステータス４、または通信ステータス６であるとき、ＰＤＳＣＨ送信中に占有されるシンボルの量は比較的大きく、２つのシンボルよりも大きく、アップリンクデータ量はこの場合比較的大きいので、関連する推定の精度を改善するために、ＤＭＲＳを送信するために使用されない、ＤＭＲＳシンボル中にあるＲＥは、アップリンクデータを送信するために使用されないことがある。この場合、信号は、ＤＭＲＳシンボル中でわずかいくつかのＲＥの各々中で送信される。したがって、すべてのシンボル上の電力が等しくなることを保証するために、ＤＭＲＳの電力はブーストされる必要があり、すなわち、ＤＭＲＳの電力は、標準電力＋３ｄＢである。
【０１８５】
本出願の実施形態では、上記は、ＤＭＲＳに関連するダウンリンクスケジューリングコマンドのＤＣＩのフォーマットが１＿０である一例を与えることを理解されたい。ただし、ＤＭＲＳに関連するアップリンクスケジューリングコマンドのＤＣＩのフォーマットが１＿１でないという条件で、本出願の実施形態はそれに限定されない。したがって、フォーマットが１＿０であるＤＣＩは、フォーマットが１＿１でないＤＣＩとして表され得る。
【０１８６】
本出願の実施形態では、端末デバイスがＲＲＣ接続を確立しないことは、代替として、端末デバイスが上位レイヤ構成を受信しない（たとえば、限定はしないが、端末デバイスがＲＲＣ構成を受信しない）こととして表され得ることを理解されたい。本出願の実施形態はそれに限定されない。
【０１８７】
本出願の実施形態では、ダウンリンク送信中に占有されるシンボルは、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）によって占有されるシンボルであり得ることを理解されたい。
【０１８８】
本出願の実施形態では、標準電力は固定値でないことがあるが、電力ブースト（ｂｏｏｓｔ）が考慮されないときの通常の慣行に基づいて端末デバイスによって決定される電力値であり得ることをさらに理解されたい。
【０１８９】
言い換えれば、ＤＭＲＳの電力が標準電力であるとき、対応する電力ブースト値は０ｄＢである。したがって、均一な表現のために、ＤＭＲＳの電力が標準電力であることは、代替として、ＤＭＲＳの電力が標準電力＋０ｄＢであることとして表され得る。ＤＭＲＳの電力が標準電力＋３ｄＢであるとき、対応する電力ブースト値は３ｄＢである。
【０１９０】
上記は、電力ブースト値が０ｄＢまたは３ｄＢである一例を与えるにすぎず、本出願の実施形態は、それに限定されない。実際の適用中に、標準の発展とともに、電力ブースト値は別の可能な値になり得る。
【０１９１】
上記の説明に基づき、本出願の実施形態では、上記にリストされている６つの通信ステータスがそれぞれＤＭＲＳの１つの電力に対応することが推論されることが可能である。
【０１９２】
上記の実装では、ネットワークデバイスと端末デバイスとの両方は、上記の表４に問い合わせることによってネットワークパラメータの値に基づいてＤＭＲＳの電力を直接決定し得る。
【０１９３】
代替として、別の実装では、本出願の実施形態では、ネットワークデバイスと端末デバイスとは、表に問い合わせることによってＤＭＲＳの電力を間接的に取得し得る。
【０１９４】
具体的には、ネットワークデバイスと端末デバイスとは、上記の複数のパラメータの値とデータなしの符号分割多重化グループ（ＣＤＭ  Ｇｒｏｕｐｓ  ｗｉｔｈｏｕｔ  Ｄａｔａ）の値との間の対応を記憶し得る。たとえば、対応は、表５に示されている。
【０１９５】
特定の実装処理では、端末デバイスは、現在のネットワーク上での上記のパラメータの値に基づいて、上記のパラメータに対応するデータなしの符号分割多重化グループ（ＣＤＭ  Ｇｒｏｕｐｓ  ｗｉｔｈｏｕｔ  Ｄａｔａ）の値を決定し、次いで、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１９６】
代替として、別の実装では、本出願の実施形態では、ネットワークデバイスと端末デバイスとは、上記の表４または表５中の対応を事前構成する必要がないことがある。たとえば、本出願の実施形態では、フィールドは、フォーマットが１＿０であるＤＣＩに追加され得る。たとえば、アンテナポートダウンリンク制御情報フィールド（Ａｎｔｅｎｎａ  Ｐｏｒｔ（ｓ）  ＤＣＩ  Ｆｉｅｌｄ）が追加され得る。データなしの符号分割多重化グループ（ＣＤＭ  Ｇｒｏｕｐｓ  ｗｉｔｈｏｕｔ  Ｄａｔａ）は、追加されたフィールドを使用することによって示され、ネットワークデバイスと端末デバイスとは、データなしの符号分割多重化グループ（ＣＤＭ  Ｇｒｏｕｐｓ  ｗｉｔｈｏｕｔ  Ｄａｔａ）の値に基づいて表１に問い合わせて、ＤＭＲＳの電力を決定し得る。
【０１９７】
代替として、別の実装では、本出願の実施形態では、ネットワークデバイスと端末デバイスとは、上記の表４または表５中の対応を事前構成する必要がないことがある。
【０１９８】
たとえば、本出願の実施形態では、１ビットなどの少なくとも１ビットがフォーマットが１＿０であるＤＣＩに追加され得る。１ビットの値が０であるとき、ＤＭＲＳの対応する電力は標準電力＋０ｄＢであり、１ビットの値が１であるとき、ＤＭＲＳの対応する電力は標準電力＋３ｄＢである。代替として、１ビットの値が１であるとき、ＤＭＲＳの対応する電力は標準電力＋０ｄＢであり、１ビットの値が０であるとき、ＤＭＲＳの対応する電力は標準電力＋３ｄＢである。ネットワークデバイスと端末デバイスとは、次いで、少なくとも１ビットに関する情報のインジケーションに基づいてＤＭＲＳの電力を決定し得る。
【０１９９】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【０２００】
上記の図１から図４の例は、当業者が本発明の実施形態を理解するのを助けるためのものにすぎず、本発明の実施形態を例中の特定の値または特定のシナリオに限定するためのものでないことを理解されたい。当業者は、図１〜図４に示された例に従って様々な等価な修正または変更を明らかに行うことができ、そのような修正または変更も本発明の実施形態の範囲内に入る。
【０２０１】
上記の処理のシーケンス番号が本出願の様々な実施形態における実行シーケンスを意味しないことを理解されたい。処理の実行シーケンスは、処理の機能および内部論理に従って決定されるべきであり、本出願の実施形態の実装処理に対するいかなる限定とも解釈されてはならない。
【０２０２】
上記は、図１から図４を参照しながら詳細に本発明の実施形態における方法について説明し、以下は、図５から図８を参照しながら本発明の実施形態における通信装置について説明する。
【０２０３】
図５は、本出願の一実施形態による、通信装置の概略図である。通信装置５００は、
処理ユニット５１０とトランシーバユニット５２０とを含み得る。
【０２０４】
具体的には、処理ユニットは、ＤＭＲＳの電力を決定するように構成され、
トランシーバユニットは、決定された電力に基づいてＤＭＲＳを送るように構成される。
【０２０５】
任意選択で、ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２０６】
任意選択で、端末デバイスが無線リソース制御ＲＲＣ接続を確立せず、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２０７】
任意選択で、ＤＭＲＳに関連するアップリンクスケジューリングコマンドが、フォーマットが０＿０であるＤＣＩであり、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２０８】
任意選択で、端末デバイスがＲＲＣ接続を確立せず、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２０９】
任意選択で、ＤＭＲＳに関連するアップリンクスケジューリングコマンドが、フォーマットが０＿０であるＤＣＩであり、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【０２１０】
任意選択で、端末デバイスがＲＲＣ接続を確立せず、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【０２１１】
任意選択で、ＤＭＲＳに関連するアップリンクスケジューリングコマンドがＤＣＩであり、ＤＣＩの巡回冗長検査ＣＲＣが一時構成無線ネットワーク一時識別ＴＣ−ＲＮＴＩを使用することによってスクランブルされ、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２１２】
任意選択で、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２１３】
任意選択で、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＤＦＴ−ｓ−ＯＦＤＭであるとき、ＤＭＲＳの電力は標準電力＋３ｄＢである。
【０２１４】
本出願で提供される通信装置５００は、図３の方法実施形態において端末デバイスによって実行される処理に対応する。通信装置中のユニット／モジュールの機能については、上記中で説明を参照されたい。本明細書では、詳細を再び説明しない。
【０２１５】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【０２１６】
図６は、本出願の一実施形態による、通信装置の概略図である。通信装置６００は、
処理ユニット６１０とトランシーバユニット６２０とを含み得る。
【０２１７】
具体的には、処理ユニットは、ＤＭＲＳの電力を決定するように構成され、
トランシーバユニットは、決定された電力に基づいてＤＭＲＳを受信するように構成される。
【０２１８】
任意選択で、ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２１９】
任意選択で、端末デバイスが無線リソース制御ＲＲＣ接続を確立せず、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２２０】
任意選択で、ＤＭＲＳに関連するダウンリンクスケジューリングコマンドが、フォーマットが１＿０であるＤＣＩであり、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２２１】
任意選択で、端末デバイスがＲＲＣ接続を確立せず、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２２２】
任意選択で、ＤＭＲＳに関連するダウンリンクスケジューリングコマンドがＤＣＩであり、ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２２３】
任意選択で、ＤＭＲＳに関連するダウンリンクスケジューリングコマンドがＤＣＩであり、ＤＣＩのＣＲＣがＳＩ−ＲＮＴＩ、ＲＡ−ＲＮＴＩ、Ｐ−ＲＮＴＩ、またはＴＣ−ＲＮＴＩを使用することによってスクランブルされ、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２２４】
本出願で提供される通信装置６００は、図４の方法実施形態において端末デバイスによって実行される処理に対応する。通信装置中のユニット／モジュールの機能については、上記中で説明を参照されたい。本明細書では、詳細を再び説明しない。
【０２２５】
本出願の実施形態では、ＤＭＲＳの電力は、異なる通信ステータスのために柔軟に決定されることが可能である。現在のＮＲにおいて規定されている単一の電力補償解決策の問題が解決されること可能であり、異なる通信ステータスにおける要件が満たされることが可能である。
【０２２６】
図５および図６中の通信装置は、端末デバイスであり得るか、または端末デバイス上に設置されるチップもしくは集積回路であり得ることを理解されたい。
【０２２７】
通信装置が端末デバイスである一例を使用して、図７は、本出願の一実施形態による、端末デバイスの概略構造図である。理解および説明を容易にするために、図７では、端末デバイスの一例としてモバイルフォンが使用される。図７は、端末デバイスの主要な部分のみを示す。図７に示されるように、端末デバイス７００は、プロセッサと、メモリと、制御回路と、アンテナと、入出力装置とを含む。プロセッサは、主に、通信プロトコルと通信データとを処理することと、端末デバイス全体を制御することと、ソフトウェアプログラムを実行することと、ソフトウェアプログラムのデータを処理することとを行うように構成され、たとえば、端末デバイスが上記の方法実施形態において説明された行為を実行するのをサポートするように構成される。メモリは、主に、ソフトウェアプログラムおよびデータを記憶するように構成される。制御回路は、主に、ベースバンド信号と無線周波信号とを変換することと、無線周波信号を処理することとを行うように構成される。制御回路はアンテナとともに、トランシーバと呼ばれることもあり、主に、電磁波形態の無線周波信号を送受信するように構成される。タッチスクリーン、ディスプレイ、またはキーボードなどの入出力装置は、主に、ユーザによって入力されたデータを受信することと、ユーザにデータを出力することとを行うように構成される。
【０２２８】
端末デバイスがオンにされた後、プロセッサは、ストレージユニット中に記憶されたソフトウェアプログラムを読み取り、ソフトウェアプログラムの命令を説明し、実行し、ソフトウェアプログラムのデータを処理し得る。データがワイヤレスに送られる必要があるとき、送られるべきデータに対してベースバンド処理を実行した後に、プロセッサは、無線周波数回路にベースバンド信号を出力する。ベースバンド信号に対して無線周波数処理を実行した後に、無線周波数回路は、アンテナを使用することによって電磁波の形態で無線周波信号を送る。データが端末デバイスに送られるとき、無線周波数回路は、アンテナを使用することによって無線周波信号を受信し、ベースバンド信号に無線周波信号を変換し、プロセッサにベースバンド信号を出力する。プロセッサは、データにベースバンド信号を変換し、データを処理する。
【０２２９】
当業者は、説明を容易にするために、図７は、１つのメモリと１つプロセッサとしか示されていないことを理解し得る。実際の端末デバイスでは、複数のプロセッサと複数のメモリとが存在し得る。メモリは、記憶媒体、ストレージデバイスなどと呼ばれることもある。これは、本出願の実施形態では限定されない。
【０２３０】
随意の実装では、プロセッサは、ベースバンドプロセッサと中央処理ユニットとを含み得る。ベースバンドプロセッサは、主に、通信プロトコルと通信データとを処理するように構成される。中央処理ユニットは、主に、端末デバイス全体を制御することと、ソフトウェアプログラムを実行することと、ソフトウェアプログラムのデータを処理することとを行うように構成される。図７のプロセッサは、ベースバンドプロセッサと中央処理ユニットとの機能を統合し得る。当業者は、ベースバンドプロセッサと中央処理ユニットとがそれぞれ独立したプロセッサであり得、バスなどの技術を使用することによって相互接続されることを理解し得る。当業者は、端末デバイスが異なるネットワーク通信規格に適応するために複数のベースバンドプロセッサを含み得ることと、端末デバイスが、端末デバイスの処理能力を向上させるために複数の中央処理ユニットを含み得ることと、端末デバイスの部分が様々なバスを使用することによって接続され得ることとを理解し得る。ベースバンドプロセッサはまた、ベースバンド処理回路またはベースバンド処理チップとして表され得る。中央処理ユニットはまた、中央処理回路または中央処理チップとして表され得る。通信プロトコルと通信データとを処理する機能は、プロセッサ中に設定され得るか、またはソフトウェアプログラムの形態でストレージユニット中に記憶され得る。プロセッサは、ベースバンド処理機能を実装するためにソフトウェアプログラムを実行する。
【０２３１】
本発明の実施形態では、アンテナと、送信機能と受信機能とを有する制御回路とは、たとえば、図５または図６の方法実装において端末デバイスによって実行される送信機能と受信機能とを端末デバイスが実行するのをサポートするための端末デバイス７００のトランシーバユニット７１と見なされ得る。処理機能を有するプロセッサは、端末デバイス７００の処理ユニット７２と見なされ、プロセッサは、図５中の処理ユニット５１０または図６中の処理ユニット６１０に対応する。図７に示されているように、端末デバイス７００は、トランシーバユニット７１と処理ユニット７２とを含む。トランシーバユニットは、トランシーバ、トランシーバマシン、トランシーバ装置などと呼ばれることもある。トランシーバユニットは、図５中のトランシーバユニット５２０または図６中のトランシーバユニット６２０に対応する。任意選択で、トランシーバユニット７１中にあり、受信機能を実装するように構成された構成要素は、受信ユニットと見なされ得る。トランシーバユニット７１中にあり、送信機能を実装するように構成された構成要素は、送信ユニットと見なされ得る。言い換えれば、トランシーバユニット７１は、受信ユニットと送信ユニットとを含み、受信ユニットは、受信機、入力ポート、受信機回路などと呼ばれることもあり、送信ユニットは、送信マシン、送信機、送信回路などと呼ばれることがある。
【０２３２】
処理ユニット７２は、メモリ中に記憶された命令を実行することと、トランシーバユニット７１が信号を受信し、および／または信号を送るように制御することと、上記の方法実施形態における端末デバイスの機能を完了することとを行うように構成され得る。一実装では、トランシーバユニット７１の機能がトランシーバ回路または受信および送信に専用のチップを使用することによって実装されると考慮され得る。
【０２３３】
図７に示された端末デバイス７００が、図５または図６の方法実施形態における端末デバイスに関係する処理を実装することができることを理解されたい。端末デバイス７００中のモジュールの動作および／または機能は、それぞれ、上記の方法実施形態における対応するプロシージャを実装するためのものである。詳細については、方法実施形態における説明を参照されたい。繰り返しを回避するために、詳細は、本明細書では適切に省略される。
【０２３４】
図８は、本出願の一実施形態による、通信装置の概略図である。通信装置８００は、
処理ユニット８１０とトランシーバユニット８２０とを含み得る。
【０２３５】
具体的には、処理ユニットは、ＤＭＲＳの電力を決定するように構成され、トランシーバユニットは、決定された電力に基づいてＤＭＲＳを受信するように構成される。
【０２３６】
任意選択で、ＤＭＲＳに関連するアップリンクスケジューリングコマンドが、フォーマットが０＿０であるダウンリンク制御情報ＤＣＩであり、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２３７】
任意選択で、端末デバイスが無線リソース制御ＲＲＣ接続を確立せず、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２３８】
任意選択で、ＤＭＲＳに関連するアップリンクスケジューリングコマンドが、フォーマットが０＿０であるＤＣＩであり、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２３９】
任意選択で、端末デバイスがＲＲＣ接続を確立せず、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２４０】
任意選択で、ＤＭＲＳに関連するアップリンクスケジューリングコマンドが、フォーマットが０＿０であるＤＣＩであり、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【０２４１】
任意選択で、端末デバイスがＲＲＣ接続を確立せず、アップリンク送信波形が離散フーリエ変換スペクトラム拡散直交周波数分割多重多元接続ＤＦＴ−ｓ−ＯＦＤＭであるとき、ＤＭＲＳの電力は標準電力＋３ｄＢである。
【０２４２】
任意選択で、ＤＭＲＳに関連するアップリンクスケジューリングコマンドがＤＣＩであり、ＤＣＩの巡回冗長検査ＣＲＣが一時構成無線ネットワーク一時識別ＴＣ−ＲＮＴＩを使用することによってスクランブルされ、アップリンク送信波形がサイクリックプレフィックス直交周波数分割多重ＣＰ−ＯＦＤＭであり、アップリンク送信中に占有されるシンボルの量が２以下であるとき、ＤＭＲＳの電力は標準電力である。
【０２４３】
任意選択で、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＣＰ−ＯＦＤＭであり、アップリンク送信中に占有されるシンボルの量が２よりも大きいとき、ＤＭＲＳの電力は標準電力＋３ｄＢである。
【０２４４】
任意選択で、ＤＭＲＳに関連するアップリンクスケジューリングコマンドがＤＣＩであり、ＤＣＩのＣＲＣがＴＣ−ＲＮＴＩを使用することによってスクランブルされ、アップリンク送信波形がＤＦＴ−ｓ−ＯＦＤＭであるとき、ＤＭＲＳの電力は標準電力＋３ｄＢである。
【０２４５】
本出願で提供される通信装置８００は、図３の方法実施形態においてネットワークデバイスによって実行される処理に対応する。通信装置中のユニット／モジュールの機能については、上記中で説明を参照されたい。本明細書では、詳細を再び説明しない。
【０２４６】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【０２４７】
図９は、本出願の一実施形態による、通信装置の概略図である。通信装置９００は、
処理ユニット９１０とトランシーバユニット９２０とを含み得る。
【０２４８】
具体的には、処理ユニットは、ＤＭＲＳの電力を決定するように構成され、トランシーバユニットは、決定された電力に基づいてＤＭＲＳを送るように構成される。
【０２４９】
任意選択で、ＤＭＲＳに関連するダウンリンクスケジューリングコマンドが、フォーマットが１＿０であるダウンリンク制御情報ＤＣＩであり、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２５０】
任意選択で、端末デバイスが無線リソース制御ＲＲＣ接続を確立せず、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２５１】
任意選択で、ＤＭＲＳに関連するダウンリンクスケジューリングコマンドが、フォーマットが１＿０であるＤＣＩであり、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２５２】
任意選択で、端末デバイスがＲＲＣ接続を確立せず、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２５３】
任意選択で、ＤＭＲＳに関連するダウンリンクスケジューリングコマンドがＤＣＩであり、ＤＣＩの巡回冗長検査ＣＲＣがシステム情報無線ネットワーク一時識別ＳＩ−ＲＮＴＩ、ランダムアクセス無線ネットワーク一時識別ＲＡ−ＲＮＴＩ、ページング無線ネットワーク一時識別Ｐ−ＲＮＴＩ、または一時構成無線ネットワーク一時識別ＴＣ−ＲＮＴＩを使用することによってスクランブルされ、ダウンリンク送信波形がサイクリックプレフィックス直交周波数分割多重ＣＰ−ＯＦＤＭであり、ダウンリンク送信中に占有されるシンボルの量が２以下であるとき、ＤＭＲＳの電力は標準電力である。
【０２５４】
任意選択で、ＤＭＲＳに関連するダウンリンクスケジューリングコマンドがＤＣＩであり、ＤＣＩのＣＲＣがＳＩ−ＲＮＴＩ、ＲＡ−ＲＮＴＩ、Ｐ−ＲＮＴＩ、またはＴＣ−ＲＮＴＩを使用することによってスクランブルされ、ダウンリンク送信波形がＣＰ−ＯＦＤＭであり、ダウンリンク送信中に占有されるシンボルの量が２よりも大きいとき、ＤＭＲＳの電力は標準電力＋３ｄＢである。
【０２５５】
本出願で提供される通信装置９００は、図４の方法実施形態においてネットワークデバイスによって実行される処理に対応する。通信装置中のユニット／モジュールの機能については、上記中で説明を参照されたい。本明細書では、詳細を再び説明しない。
【０２５６】
本出願の実施形態では、ＤＭＲＳの電力は、異なる通信ステータスのために柔軟に決定されることが可能である。現在のＮＲにおいて規定されている単一の電力補償解決策の問題が解決されることが可能であり、異なる通信ステータスにおける要件が満たされることが可能である。
【０２５７】
図８または図９中の通信装置は、ネットワークデバイスであり得るか、またはネットワークデバイス上に設置されるチップもしくは集積回路であり得ることを理解されたい。
【０２５８】
通信装置がネットワークデバイスである一例を使用して、図１０は、本出願の一実施形態による、ネットワークデバイスの概略構造図であり、たとえば、基地局の概略構造図であり得る。図１０に示されているように、ネットワークデバイス１０００は、上記の方法実施形態におけるネットワークデバイスの機能を実行するために図１に示されたシステムに適用され得る。
【０２５９】
ネットワークデバイス１０００は、リモート無線ユニット（Ｒｅｍｏｔｅ  Ｒａｄｉｏ  Ｕｎｉｔ、ＲＲＵ）１０１などの１つまたは複数の無線ユニットと、（デジタルユニット,Ｄｉｇｉｔａｌ  Ｕｎｉｔ、ＤＵ）と呼ばれることもある）１つまたは複数のベースバンドユニット（Ｂａｓｅｂａｎｄ  Ｕｎｉｔ、ＢＢＵ）１０２とを含み得る。ＲＲＵ１０１は、トランシーバユニット１０１と呼ばれることがあり、図８中のトランシーバユニット８２０または図９中のトランシーバユニット９２０に対応し得る。任意選択で、トランシーバユニットは、トランシーバマシン、トランシーバ回路、トランシーバなどと呼ばれることもあり、トランシーバユニットは、少なくとも１つのアンテナ１０１１と無線ユニット１０１２とを含み得る。ＲＲＵ１０１の部分は、主に、無線周波信号を送受信することと、無線周波信号とベースバンド信号との間の変換を実行することとを行うように構成され、たとえば、端末デバイスにプリコーディング行列情報を送るように構成される。ＢＢＵ１０２の部分は、部分的に主に、ベースバンド処理を実行すること、基地局を制御することなどを行うように構成される。ＲＲＵ１０１とＢＢＵ１０２とは、物理的に一緒に配設され得るか、または物理的に互いに離れて、すなわち、分散基地局として配設され得る。
【０２６０】
ＢＢＵ１０２は、基地局の制御センターであり、処理ユニット１０２と呼ばれることもあり、図８中の処理ユニット８１０および図９中の処理ユニット９１０に対応し得、主に、チャネル符号化、多重化、変調、またはスペクトル拡散などのベースバンド処理機能を完了するように構成される。たとえば、ＢＢＵ（処理ユニット）は、上記の方法実施形態におけるネットワークデバイスに関する演算プロシージャを実行するように基地局を制御するように構成され得る。
【０２６１】
一例では、ＢＢＵ１０２は、１つまたは複数のボードを含み得、複数のボードは、単一のアクセス標準を有する（ＬＴＥネットワークなどの）無線アクセスネットワークを一緒にサポートし得るか、または異なる無線アクセスネットワークを有する（ＬＴＥネットワーク、５Ｇネットワーク、および別のネットワークなどの）無線アクセスネットワークをそれぞれサポートし得る。ＢＢＵ１０２は、メモリ１０２１とプロセッサ１０２２とをさらに含む。メモリ１０２１は、必要な命令と必要なデータとを記憶するように構成される。プロセッサ１０２２は、必要な行為を実行するように基地局を制御するように構成され、たとえば、上記の方法実施形態におけるネットワークデバイスに関する動作プロシージャを実行するように基地局を制御するように構成される。メモリ１０２１とプロセッサ１０２２とは、１つまたは複数のボードをサービスし得る。言い換えれば、メモリとプロセッサとは、各ボード上に個々に配設され得る。代替として、複数のボードが同じメモリおよび同じプロセッサを共有し得る。さらに、必要な回路は、さらに、各ボード上に配設され得る。
【０２６２】
図１０に示されたネットワークデバイス１０００が、図４または図４の方法実施形態におけるネットワークデバイスに関係する各処理を実装することができることを理解されたい。ネットワークデバイス１０００中のモジュールの動作および／または機能は、それぞれ、上記の方法実施形態における対応するプロシージャを実装するためのものである。詳細については、方法実施形態における説明を参照されたい。繰り返しを回避するために、詳細は、本明細書では適切に省略される。
【０２６３】
本出願の一実施形態は、さらに、プロセッサとインターフェースとを含む処理装置を与える。プロセッサは、上記の方法実施形態のうちのいずれか１つにおける通信方法を実行するように構成される。
【０２６４】
処理装置がチップであり得ることを理解されたい。たとえば、処理装置は、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）であり得るか、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であり得るか、またはシステムオンチップ（Ｓｙｓｔｅｍ  ｏｎ  Ｃｈｉｐ、ＳｏＣ）であり得るか、または中央処理ユニット（Ｃｅｎｔｒａｌ  Ｐｒｏｃｅｓｓｏｒ  Ｕｎｉｔ、ＣＰＵ）であり得るか、またはネットワークプロセッサ（Ｎｅｔｗｏｒｋ  Ｐｒｏｃｅｓｓｏｒ、ＮＰ）であり得るか、またはデジタル信号プロセッサ（Ｄｉｇｉｔａｌ  Ｓｉｇｎａｌ  Ｐｒｏｃｅｓｓｏｒ、ＤＳＰ）であり得るか、またはマイクロ制御ユニット（Ｍｉｃｒｏ  Ｃｏｎｔｒｏｌｌｅｒ  Ｕｎｉｔ、ＭＣＵ）であり得るか、またはプログラマブル論理デバイス（Ｐｒｏｇｒａｍｍａｂｌｅ  Ｌｏｇｉｃ  Ｄｅｖｉｃｅ、ＰＬＤ）もしくは別の集積チップであり得る。
【０２６５】
一実装処理では、上記の方法中のステップは、プロセッサ中のハードウェア集積論理回路を使用することによってまたはソフトウェアの形態の命令を使用することによって実装され得る。本出願の実施形態に関連して開示される方法のステップは、ハードウェアプロセッサによって直接実行され得るか、またはプロセッサ中のハードウェアとソフトウェアモジュールとの組合せを使用することによって実施され得る。ソフトウェアモジュールは、ランダムアクセスメモリ、フラッシュメモリ、読取り専用メモリ、プログラマブル読取り専用メモリ、電気消去可能プログラマブルメモリ、レジスタなど、当技術分野において成熟した記憶媒体中に位置し得る。記憶媒体は、メモリ中に位置し、プロセッサは、メモリ中の情報を読み取り、プロセッサのハードウェアと組み合わせて上記の方法中のステップを完了する。繰り返しを回避するために、本明細書では、詳細を再び説明しない。
【０２６６】
本発明のこの実施形態におけるプロセッサが集積回路チップであり得、信号処理が可能であることに留意されたい。一実装処理では、上記の方法実施形態中のステップは、プロセッサ中のハードウェア集積論理回路を使用することによってまたはソフトウェアの形態の命令を使用することによって実装され得る。上記のプロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理装置、離散ゲートもしくはトランジスタ論理デバイス、または離散ハードウェア構成要素であり得る。それは、本発明の実施形態に開示されている方法、ステップ、および論理ブロック図を実装または実行し得る。汎用プロセッサはマイクロプロセッサであり得るか、またはプロセッサは任意の従来のプロセッサなどであり得る。本発明の実施形態に関連して開示される方法のステップは、ハードウェア復号プロセッサの手段によって直接実行および達成され得るか、または復号プロセッサ中でハードウェアモジュールとソフトウェアモジュールとの組合せを使用することによって実行および達成され得る。ソフトウェアモジュールは、ランダムアクセスメモリ、フラッシュメモリ、読取り専用メモリ、プログラマブル読取り専用メモリ、電気消去可能プログラマブルメモリ、レジスタなど、当技術分野において成熟した記憶媒体中に位置し得る。記憶媒体は、メモリ中に位置し、プロセッサは、メモリ中の情報を読み取り、プロセッサのハードウェアと組み合わせて上記の方法中のステップを完了する。
【０２６７】
本発明の実施形態におけるメモリは、揮発性メモリもしくは不揮発性メモリであり得るか、または揮発性メモリと不揮発性メモリとを含み得ることが理解され得る。不揮発性メモリは、読取り専用メモリ（Ｒｅａｄ−ｏｎｌｙ  Ｍｅｍｏｒｙ、ＲＯＭ）、プログラマブル読取り専用メモリ（Ｐｒｏｇｒａｍｍａｂｌｅ  ＲＯＭ、ＰＲＯＭ）、消去可能プログラマブル読取り専用メモリ（Ｅｒａｓａｂｌｅ  ＰＲＯＭ、ＥＰＲＯＭ）、電気消去可能プログラマブル読取り専用メモリ（Ｅｌｅｃｔｒｉｃａｌｌｙ  ＥＰＲＯＭ、ＥＥＰＲＯＭ）、またはフラッシュメモリであり得る。揮発性メモリは、外部キャッシュとして使用されるランダムアクセスメモリ（Ｒａｎｄｏｍ  Ａｃｃｅｓｓ  Ｍｅｍｏｒｙ、ＲＡＭ）であり得る。例示的だが限定的でない説明を通して、多くの形態のＲＡＭ、たとえば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張シンクロナスダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）およびダイレクトラムバスダイナミックランダムアクセスメモリ（Ｄｉｒｅｃｔ  Ｒａｍｂｕｓ  ＲＡＭ、ＤＲ  ＲＡＭ）が使用され得る。本明細書において説明されたシステムおよび方法のメモリは、限定はしないが、これらのメモリと別の適切なタイプの任意のメモリとを含むことに留意されたい。
【０２６８】
本出願の一実施形態は、通信システムをさらに提供し、通信システムは、上記のネットワークデバイスと端末デバイスとを含む。
【０２６９】
本出願の一実施形態は、コンピュータ可読媒体をさらに提供する。コンピュータ可読媒体は、コンピュータプログラムを記憶し、コンピュータによって実行されているとき、コンピュータプログラムは、上記の方法実施形態のうちのいずれか１つにおける通信方法を実装する。
【０２７０】
本出願の一実施形態は、コンピュータプログラム製品をさらに提供する。コンピュータによって実行されているとき、コンピュータプログラム製品は、上記の方法実施形態のうちのいずれか１つにおける通信方法を実装する。
【０２７１】
上記の実施形態の全部または一部は、ソフトウェア、ハードウェア、ファームウェア、またはそれらの任意の組合せによって実装され得る。実施形態を実装するためにソフトウェアが使用されるとき、実施形態は、コンピュータプログラム製品の形態で完全にまたは部分的に実装され得る。コンピュータプログラム製品は、１つまたは複数のコンピュータ命令を含む。コンピュータ命令がコンピュータ上にロードされ、実行されるとき、本出願の実施形態によるプロシージャまたは機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体中に記憶され得るか、またはコンピュータ可読記憶媒体から別のコンピュータ可読記憶媒体に送信され得る。たとえば、コンピュータ命令は、ワイヤード（たとえば、同軸ケーブル、光ファイバ、またはデジタル加入者回線（Ｄｉｇｉｔａｌ  Ｓｕｂｓｃｒｉｂｅｒ  Ｌｉｎｅ、ＤＳＬ））の方式またはワイヤレス（たとえば、赤外線、無線、およびマイクロ波など）の方式でウェブサイト、コンピュータ、サーバ、またはデータセンターから別のウェブサイト、コンピュータ、サーバまたはデータセンターに送信され得る。コンピュータ可読記憶媒体は、コンピュータによってアクセス可能な任意の使用可能な媒体であるか、または１つもしくは複数の使用可能な媒体を統合するサーバもしくはデータセンターなどのデータストレージデバイスであり得る。使用可能な媒体は、磁気媒体（たとえば、フロッピーディスク、ハードディスク、または磁気テープ）、光媒体（たとえば、デジタルビデオディスク （Ｄｉｇｉｔａｌ  Ｖｉｄｅｏ  Ｄｉｓｃ、ＤＶＤ）、半導体媒体（たとえば、ソリッドステートドライブ（Ｓｏｌｉｄ  Ｓｔａｔｅ  Ｄｉｓｋ、ＳＳＤ））などであり得る。
【０２７２】
上記は、通信システムにおけるダウンリンク送信中の通信方法について説明したが、本出願はそれに限定されないことを理解されたい。任意選択で、アップリンク送信中に、上記の解決策と同様の解決策が、代替として、使用され得る。繰り返しを回避するために、本明細書では、詳細を再び説明しない。
【０２７３】
「一実施形態」または明細書全体で説明する「一実施形態」は、実施形態に関係する特定の特徴、構造、または特性が本発明の少なくとも１つの実施形態中に含まれることを意味しないことを理解されたい。したがって、「一実施形態における」または本明細書全体にわたって出現する「一実施形態では」は、同じ実施形態を言及しない。さらに、これらの特定の特徴、構造、または特性は、任意の適切な方式を使用することによって１つまたは複数の実施形態に組み合わされ得る。上記の処理のシーケンス番号が本発明の実施形態における実行シーケンスを意味しないことを理解されたい。処理の実行シーケンスは、処理の機能および内部論理に従って決定されるべきであり、本発明の実施形態の実装処理に対するいかなる限定とも解釈されてはならない。
【０２７４】
本明細書において使用される「構成要素」、「モジュール」、および「システム」などの用語は、コンピュータ関連のエンティティ、ハードウェア、ファームウェア、ハードウェアとソフトウェアとの組合せ、ソフトウェア、または実行されているソフトウェアを示すために使用される。たとえば、構成要素は、限定はしないが、プロセッサ、プロセッサ、オブジェクト、実行可能ファイル、実行スレッド、プログラム、および／またはコンピュータ上で実行する処理であり得る。図に示されるように、コンピューティングデバイスとコンピューティングデバイス上で実行するアプリケーションとの両方が構成要素であり得る。１つまたは複数の構成要素が、処理および／または実行スレッド内に常駐し得、構成要素は、１つのコンピュータ上に位置するか、および／または２つ以上のコンピュータの間に分散され得る。さらに、これらの構成要素は、様々なデータ構造を記憶する様々なコンピュータ可読媒体から実行され得る。たとえば、構成要素は、ローカルおよび／またはリモート処理を使用することによって、ならびに、たとえば、１つまたは複数のデータパケット（たとえば、ローカルシステム、分散システム中の、および／または信号を使用することによって他のシステムと対話するインターネットなどのネットワークにわたって別の構成要素と対話する２つの構成要素からのデータ）を有する信号に従って通信し得る。
【０２７５】
さらに、第１の、第２の、第３の、第４の、および様々な数値は、説明を容易にするために実行される区別のためのものにすぎず、本出願の実施形態の範囲を限定するために使用されないことを理解されたい。
【０２７６】
本明細書における「および／または（ａｎｄ／ｏｒ）」という用語は、単に、関連するオブジェクトを記述するための関連付け関係を記述し、３つの関係が存在し得ることを表すことを理解されたい。たとえば、Ａおよび／またはＢは、Ａのみが存在する場合と、ＡとＢとの両方が存在する場合と、Ｂのみが存在する場合との３つの場合を表し得る。
【０２７７】
当業者は、本明細書に開示される実施形態において説明された例示的な論理ブロック（ｉｌｌｕｓｔｒａｔｉｖｅ  ｌｏｇｉｃａｌ  ｂｌｏｃｋ）と組み合わせて、そして、ステップ（ｓｔｅｐ）が電子ハードウェアまたはコンピュータソフトウェアと電子ハードウェアとの組合せによって実装され得ることに気づき得る。機能がハードウェアによって実施されるのか、またはソフトウェアによって実施されるのかは、特定の適用例および技術的解決策の設計制約条件に依存する。当業者は、特定の適用例ごとに説明する機能を実装するために異なる方法を使用し得るが、実装が本出願の範囲を越えると見なすべきではない。
【０２７８】
便宜的で簡単な説明のために、上記のシステム、装置、およびユニットの詳細な作業処理については、上記の方法実施形態における対応する処理を参照されたく、詳細について、本明細書では再び説明しないことを当業者には明確に理解されよう。
【０２７９】
本出願中に与えられるいくつかの実施形態では、開示するシステム、装置、および方法が他の様式で実装され得ることを理解されたい。たとえば、説明した装置実施形態は、一例にすぎない。たとえば、ユニット分割は、論理機能分割にすぎず、実際の実装では他の分割であり得る。たとえば、複数のユニットまたは構成要素が別のシステムに、組み合わされるかもしくは統合され得、またはいくつかの特徴は無視されるか、もしくは実施されないことがある。さらに、表示したもしくは説明した相互結合もしくは直接結合または通信接続は、いくつかのインターフェースを使用することによって実装され得る。装置間またはユニット間の間接結合または通信接続は、電子的な形態、機械的な形態、または他の形態で実装され得る。
【０２８０】
別個の部分として説明されたユニットは、物理的に別個であることもそうでないこともあり、ユニットとして表示された部分は、物理ユニットであることもそうでないこともあり、１つの位置に位置し得るか、または複数のネットワークユニット上に分散され得る。ユニットの一部または全部は、実施形態の解決策の目的を達成するために実際の要件に基づいて選択され得る。
【０２８１】
加えて、本出願の実施形態における機能ユニットが１つの処理ユニットへと統合されることがあり、またはユニットの各々が物理的に単独で存在することがあり、または２つ以上のユニットが１つのユニットへと統合される。
【０２８２】
上記の実施形態の全部または一部は、ソフトウェア、ハードウェア、ファームウェア、またはそれらの任意の組合せによって実装され得る。実施形態を実装するためにソフトウェアが使用されるとき、実施形態は、コンピュータプログラム製品の形態で完全にまたは部分的に実装され得る。コンピュータプログラム製品は、１つまたは複数のコンピュータプログラム命令を含む。コンピュータプログラム命令（プログラム）がコンピュータ上にロードされ、実行されるとき、本出願の実施形態によるプロシージャまたは機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体中に記憶され得るか、またはコンピュータ可読記憶媒体から別のコンピュータ可読記憶媒体に送信され得る。たとえば、コンピュータ命令は、ワイヤード（たとえば、同軸ケーブル、光ファイバ、またはデジタル加入者回線（ＤＳＬ））の方式またはワイヤレス（たとえば、赤外線、無線、およびマイクロ波など）の方式でウェブサイト、コンピュータ、サーバ、またはデータセンターから別のウェブサイト、コンピュータ、サーバまたはデータセンターに送信され得る。コンピュータ可読記憶媒体は、コンピュータによってアクセス可能な任意の使用可能な媒体であるか、または１つもしくは複数の使用可能な媒体を統合するサーバもしくはデータセンターなどのデータストレージデバイスであり得る。使用可能な媒体は、磁気媒体（たとえば、フロッピーディスク、ハードディスク、または磁気テープ）、光媒体（たとえば、ＤＶＤ）、半導体媒体（たとえば、ソリッドステートドライブ Ｓｏｌｉｄ  Ｓｔａｔｅ  Ｄｉｓｋ、ＳＳＤ））などであり得る。
【０２８３】
上記の説明は、本出願の特定の実装にすぎず、本出願の保護範囲を限定するものではない。本出願で開示される技術範囲内で当業者によって容易に想到されるいかなる変形形態または置換形態も、本出願の保護範囲内に入るものである。したがって、本発明の保護範囲は、特許請求の範囲の保護範囲に従わなければならないものである。
【図１】
2021523637.tif 000008
【図２】
2021523637.tif 000009
【図３】
2021523637.tif 000010
【図４】
2021523637.tif 000011
【図５】
2021523637.tif 000012
【図６】
2021523637.tif 000013
【図７】
2021523637.tif 000014
【図８】
2021523637.tif 000015
【図９】
2021523637.tif 000016
【図１０】
2021523637.tif 000017
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
復調基準信号（ＤＭＲＳ）送信方法であって、
端末によって、ＤＭＲＳの電力を決定するステップと、
前記端末によって、前記決定された電力に基づいて前記ＤＭＲＳを送るステップとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、方法。
【請求項２】
前記第１のフォーマットは０＿０である請求項１に記載の方法。
【請求項３】
Ｘ＝３である請求項１に記載の方法。
【請求項４】
復調基準信号ＤＭＲＳ受信方法であって、
ネットワーク装置によって、ＤＭＲＳの電力を決定するステップと、
前記ネットワーク装置によって、前記決定された電力に基づいて前記ＤＭＲＳを受信するステップとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、方法。
【請求項５】
前記第１のフォーマットは０＿０である請求項４に記載の方法。
【請求項６】
Ｘ＝３である請求項４に記載の方法。
【請求項７】
通信装置であって、
復調基準信号（ＤＭＲＳ）の電力を決定するように構成された処理ユニットと、
前記決定された電力に基づいて前記ＤＭＲＳを送るように構成されたトランシーバユニットとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、装置。
【請求項８】
前記第１のフォーマットは０＿０である請求項７に記載の装置。
【請求項９】
Ｘ＝３である請求項７に記載の装置。
【請求項１０】
通信装置であって、
復調基準信号（ＤＭＲＳ）の電力を決定するように構成された処理ユニットと、
前記決定された電力に基づいて前記ＤＭＲＳを受信するように構成されたトランシーバユニットとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、装置。
【請求項１１】
前記第１のフォーマットは０＿０である請求項１０に記載の装置。
【請求項１２】
Ｘ＝３である請求項１０に記載の装置。
【請求項１３】
コンピュータプログラムを備えるコンピュータ可読記憶媒体であって、前記コンピュータプログラムがコンピュータ上で実行されるとき、前記コンピュータは、請求項１乃至６のいずれか一項に記載の方法を実行することが可能にされるコンピュータ可読記憶媒体。
【請求項１４】
通信装置であって、
復調基準信号（ＤＭＲＳ）の電力を決定するように構成されたプロセッサと、
前記決定された電力に基づいて前記ＤＭＲＳを送るように構成されたトランシーバとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、装置。
【請求項１５】
前記第１のフォーマットは０＿０である請求項１４に記載の装置。
【請求項１６】
Ｘ＝３である請求項１４に記載の装置。
【請求項１７】
通信装置であって、
復調基準信号（ＤＭＲＳ）の電力を決定するように構成されたプロセッサと、
前記決定された電力に基づいて前記ＤＭＲＳを受信するように構成されたトランシーバとを備え、前記ＤＭＲＳの前記電力は、
前記ＤＭＲＳに関連するアップリンクスケジューリングコマンドが、フォーマットが第１のフォーマットであるダウンリンク制御情報（ＤＣＩ）であり、アップリンク送信波形がサイクリックプレフィックス直交周波数分割多重（ＣＰ−ＯＦＤＭ）であり、アップリンク送信中に占有されるシンボルの量が２以下であるとき、前記ＤＭＲＳの前記電力は標準電力である、
前記ＤＭＲＳに関連するアップリンクスケジューリングコマンドが、フォーマットが第１のフォーマットであるＤＣＩであり、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドが、フォーマットが第１のフォーマットであるＤＣＩであり、アップリンク送信波形が離散フーリエ変換スペクトラム拡散直交周波数分割多重多元接続（ＤＦＴ−ｓ−ＯＦＤＭ）であるとき、前記ＤＭＲＳの前記電力は標準電力＋ＸｄＢである、
前記ＤＭＲＳに関連するアップリンクスケジューリングコマンドがＤＣＩであり、前記ＤＣＩの巡回冗長検査（ＣＲＣ）が一時構成無線ネットワーク一時識別（ＴＣ−ＲＮＴＩ）を使用することによってスクランブルされ、アップリンク送信波形がＣＰ−ＯＦＤＭであり、前記アップリンク送信中に占有されるシンボルの量が２以下であるとき、前記ＤＭＲＳの前記電力は標準電力である、
前記ＤＭＲＳに関連する前記アップリンクスケジューリングコマンドがＤＣＩであり、前記ＤＣＩのＣＲＣがＴＣ−ＲＮＴＩを使用することによってスクランブルされ、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
前記ＤＭＲＳに関連するアップリンクスケジューリングコマンドがＤＣＩであり、前記ＤＣＩのＣＲＣがＴＣ−ＲＮＴＩを使用することによってスクランブルされ、前記アップリンク送信波形がＤＦＴ−ｓ−ＯＦＤＭであるとき、前記ＤＭＲＳの前記電力は標準電力＋ＸｄＢである、
無線リソース制御（ＲＲＣ）接続が確立されず、アップリンク送信波形が前記サイクリックプレフィックス直交周波数分割多重ＣＰ−ＯＦＤＭであり、前記アップリンク送信中に占有されるシンボルの量が２以下であるとき、前記ＤＭＲＳの前記電力は標準電力である、
ＲＲＣ接続が確立されず、アップリンク送信波形がＣＰ−ＯＦＤＭであり、前記アップリンク送信中に占有されるシンボルの量が２よりも大きいとき、前記ＤＭＲＳの前記電力は標準電力＋ＸｄＢである、
ＲＲＣ接続が確立されず、アップリンク送信波形がＤＦＴ−ｓ−ＯＦＤＭであるとき、前記ＤＭＲＳの前記電力は標準電力＋ＸｄＢである
という電力のうちの少なくとも１つを満たし、
前記第１のフォーマットは０＿１ではなく、Ｘは０よりも大きい、装置。
【請求項１８】
前記第１のフォーマットは０＿０である請求項１７に記載の装置。
【請求項１９】
Ｘ＝３である請求項１７に記載の装置。
【請求項２０】
処理装置であって、
前記装置が請求項１乃至６のいずれか一項に記載の方法を実装することを可能にするためにコンピュータプログラムを実行するように構成されたプロセッサ
を備える処理装置。
【請求項２１】
プロセッサとストレージ装置とを備える処理装置であって、
前記ストレージ装置が、コンピュータプログラムを記憶するように構成され、
前記プロセッサは、前記処理装置が請求項１乃至６のいずれか一項に記載の方法を実装することを可能にするために前記ストレージ装置中に記憶された前記コンピュータプログラムを実行するように構成された
処理装置。
【請求項２２】
コンピュータプログラムを備えるコンピュータプログラムであって、前記コンピュータプログラムがコンピュータ上で実行されるとき、前記コンピュータは、請求項１乃至６のいずれか一項に記載の方法を実行することが可能になるコンピュータプログラム。
【手続補正２】
【補正対象書類名】明細書
【補正対象項目名】００７０
【補正方法】変更
【補正の内容】
【００７０】
図１に示されているように、端末デバイス１１６は、アンテナ１１２および１１４と通信する。アンテナ１１２および１１４は、順方向リンク１１８を介して端末デバイス１１６に情報を送り、逆方向リンク１２０を介して端末デバイス１１６から情報を受信する。さらに、端末デバイス１２２は、アンテナ１０４および１０６と通信し、アンテナ１０４および１０６は、順方向リンク１２４を介して端末デバイス１２２に情報を送り、逆方向リンク１２６を介して端末デバイス１２２から情報を受信する。
【手続補正３】
【補正対象書類名】明細書
【補正対象項目名】００７１
【補正方法】変更
【補正の内容】
【００７１】
たとえば、周波数分割複信（Ｆｒｅｑｕｅｎｃｙ  Ｄｉｖｉｓｉｏｎ  Ｄｕｐｌｅｘ、ＦＤＤ）システムでは、順方向リンク１１８は、逆方向リンク１２０によって使用される周波数帯域とは異なる周波数帯域を使用し得、順方向リンク１２４は、逆方向リンク１２６によって使用される周波数帯域とは異なる周波数帯域を使用し得る。
【手続補正４】
【補正対象書類名】明細書
【補正対象項目名】００７２
【補正方法】変更
【補正の内容】
【００７２】
別の例では、時分割複信（Ｔｉｍｅ  Ｄｉｖｉｓｉｏｎ  Ｄｕｐｌｅｘ、ＴＤＤ）システムおよび全二重（Ｆｕｌｌ  Ｄｕｐｌｅｘ）システムでは、順方向リンク１１８と逆方向リンク１２０とは同じ周波数帯域を使用し得、順方向リンク１２４と逆方向リンク１２６とは同じ周波数帯域を使用し得る。
【手続補正５】
【補正対象書類名】明細書
【補正対象項目名】００７３
【補正方法】変更
【補正の内容】
【００７３】
通信のために設計されたアンテナの各グループおよび／または各エリアは、ネットワーク側のデバイス１０２のセクタと呼ばれる。たとえば、アンテナグループは、ネットワーク側のデバイス１０２のカバレージエリアのセクタ中の端末デバイスと通信するように設計され得る。ネットワーク側のデバイス１０２が順方向リンク１１８および１２４を介して、それぞれ、端末デバイス１１６および１２２と通信するとき、ネットワーク側のデバイス１０２の送信アンテナは、ビームフォーミングを通して順方向リンク１１８および１２４の信号対雑音比を改善し得る。さらに、ネットワーク側のデバイスが１つの単一のアンテナを使用することによってネットワーク側のデバイスのすべての端末デバイスに信号を送る方式と比較して、ネットワーク側のデバイス１０２がビームフォーミングを通して、関連するカバレージエリア中でランダムに分散される端末デバイス１１６および１２２に信号を送るとき、隣接セル中のモバイルデバイスがより少ない干渉を受ける。
【手続補正６】
【補正対象書類名】明細書
【補正対象項目名】００８１
【補正方法】変更
【補正の内容】
【００８１】
端末デバイスがＲＲＣ接続を確立しないとき、たとえば、端末デバイスが、上位レイヤ構成を受信しないか、またはＤＣＩフォーマットが０＿０もしくは１＿０であるとき、送信側は、ＤＭＲＳのデフォルトパターンとポート０などの固定されたポートとを使用することによってＤＭＲＳを送信する。
【手続補正７】
【補正対象書類名】明細書
【補正対象項目名】０２５９
【補正方法】変更
【補正の内容】
【０２５９】
ネットワークデバイス１０００は、リモート無線ユニット（Ｒｅｍｏｔｅ  Ｒａｄｉｏ  Ｕｎｉｔ、ＲＲＵ）１０１などの１つまたは複数の無線ユニットと、（デジタルユニット（Ｄｉｇｉｔａｌ  Ｕｎｉｔ、ＤＵ））と呼ばれることもある）１つまたは複数のベースバンドユニット（Ｂａｓｅｂａｎｄ  Ｕｎｉｔ、ＢＢＵ）１０２とを含み得る。ＲＲＵ１０１は、トランシーバユニット１０１と呼ばれることがあり、図８中のトランシーバユニット８２０または図９中のトランシーバユニット９２０に対応し得る。任意選択で、トランシーバユニットは、トランシーバマシン、トランシーバ回路、トランシーバなどと呼ばれることもあり、トランシーバユニットは、少なくとも１つのアンテナ１０１１と無線ユニット１０１２とを含み得る。ＲＲＵ１０１の部分は、主に、無線周波信号を送受信することと、無線周波信号とベースバンド信号との間の変換を実行することとを行うように構成され、たとえば、端末デバイスにプリコーディング行列情報を送るように構成される。ＢＢＵ１０２の部分は、部分的に主に、ベースバンド処理を実行すること、基地局を制御することなどを行うように構成される。ＲＲＵ１０１とＢＢＵ１０２とは、物理的に一緒に配設され得るか、または物理的に互いに離れて、すなわち、分散基地局として配設され得る。
【手続補正８】
【補正対象書類名】明細書
【補正対象項目名】０２６２
【補正方法】変更
【補正の内容】
【０２６２】
図１０に示されたネットワークデバイス１０００が、図４の方法実施形態におけるネットワークデバイスに関係する各処理を実装することができることを理解されたい。ネットワークデバイス１０００中のモジュールの動作および／または機能は、それぞれ、上記の方法実施形態における対応するプロシージャを実装するためのものである。詳細については、方法実施形態における説明を参照されたい。繰り返しを回避するために、詳細は、本明細書では適切に省略される。
【手続補正９】
【補正対象書類名】明細書
【補正対象項目名】０２７１
【補正方法】変更
【補正の内容】
【０２７１】
上記の実施形態の全部または一部は、ソフトウェア、ハードウェア、ファームウェア、またはそれらの任意の組合せによって実装され得る。実施形態を実装するためにソフトウェアが使用されるとき、実施形態は、コンピュータプログラム製品の形態で完全にまたは部分的に実装され得る。コンピュータプログラム製品は、１つまたは複数のコンピュータ命令を含む。コンピュータ命令がコンピュータ上にロードされ、実行されるとき、本出願の実施形態によるプロシージャまたは機能がすべてまたは部分的に生成される。コンピュータは、汎用コンピュータ、専用コンピュータ、コンピュータネットワーク、または他のプログラマブル装置であり得る。コンピュータ命令は、コンピュータ可読記憶媒体中に記憶され得るか、またはコンピュータ可読記憶媒体から別のコンピュータ可読記憶媒体に送信され得る。たとえば、コンピュータ命令は、ワイヤード（たとえば、同軸ケーブル、光ファイバ、またはデジタル加入者回線（Ｄｉｇｉｔａｌ  Ｓｕｂｓｃｒｉｂｅｒ  Ｌｉｎｅ、ＤＳＬ））の方式またはワイヤレス（たとえば、赤外線、無線、およびマイクロ波など）の方式でウェブサイト、コンピュータ、サーバ、またはデータセンターから別のウェブサイト、コンピュータ、サーバまたはデータセンターに送信され得る。コンピュータ可読記憶媒体は、コンピュータによってアクセス可能な任意の使用可能な媒体であるか、または１つもしくは複数の使用可能な媒体を統合するサーバもしくはデータセンターなどのデータストレージデバイスであり得る。使用可能な媒体は、磁気媒体（たとえば、フロッピーディスク、ハードディスク、または磁気テープ）、光媒体（たとえば、デジタルビデオディスク （Ｄｉｇｉｔａｌ  Ｖｉｄｅｏ  Ｄｉｓｃ、ＤＶＤ））、半導体媒体（たとえば、ソリッドステートドライブ（Ｓｏｌｉｄ  Ｓｔａｔｅ  Ｄｉｓｋ、ＳＳＤ））などであり得る。
【手続補正１０】
【補正対象書類名】図面
【補正対象項目名】図１０
【補正方法】変更
【補正の内容】
【図１０】
2021523637.tif 000018
【国際調査報告】
2021523637.tif 000019
2021523637.tif 000020
2021523637.tif 000021
2021523637.tif 000022